(57)【要約】【課題】ウォータータイト構造の包装箱で、一方の側面部から連設された蓋部が他方の側面部までカバーする包装箱において、差込み片部が側面部の内側に差し込まれない構造として不衛生となることがなく、また、包装箱を閉状態でロックすることができ、蓋部の開操作が容易となる包装箱を提供する。【解決手段】包装箱１においては、正面部２０に折込み片部６０、７０が接着され、蓋部１００から連設された差込み片部１１０が折込み片部６０、７０の隙間に入り込んで、係止部１１４、１１６と開口部Ｋ６０、Ｋ７０とが係合することにより、包装箱１が閉状態でロックされる。その状態から差込み片部１１０を蓋部１００に対して正面上側に回動させることにより、差込み片部１１０が折れ線Ｃ１１２〜Ｃ１１５により曲り変形して、係止部１１４、１１６と開口部Ｋ６０、Ｋ７０の係合が解除される。【選択図】図１
2018144865.tif 000002
【特許請求の範囲】
【請求項１】
包装箱であって、
包装箱本体（５）と、蓋部（１００）と、差込み片部（１１０）とを有し、
包装箱本体が、
互いに平行な一対の辺部と、該辺部と直角をなす互いに平行な一対の辺部とを有する底面部（１０）と、
底面部の正面側の辺部から折れ線を介して連設された正面部（２０）と、
底面部の右側面側の辺部から折れ線を介して連設された右側面部（３０）と、
底面部の左側面側の辺部から折れ線を介して連設された左側面部（４０）と、
底面部の背面側の辺部から折れ線を介して連設された背面部（５０）と、
正面部の右側面側の辺部から第１折れ線（Ｃ２１）を介して連設されるとともに右側面部の正面側の辺部から第２折れ線（Ｃ３１）を介して連設された第１折込み片部で、底面部における正面側の辺部と右側面側の辺部間の角部から形成された第３折れ線（Ｃ６２）を介して第１折れ線側の領域である第１内側片部（６２）と、第３折れ線を介して第２折れ線側の領域である第１外側片部（６４）とを有し、第３折れ線を介して折り返された状態で、第１内側片部が正面部の正面側の面に接着された第１折込み片部（６０）と、
正面部の左側面側の辺部から第４折れ線（Ｃ２２）を介して連設されるとともに左側面部の正面側の辺部から第５折れ線（Ｃ４１）を介して連設された第２折込み片部で、底面部における正面側の辺部と左側面側の辺部間の角部から形成された第６折れ線（Ｃ７２）を介して第４折れ線側の領域である第２内側片部（７２）と、第６折れ線を介して第５折れ線側の領域である第２外側片部（７４）とを有し、第６折れ線を介して折り返された状態で、第２内側片部が正面部の正面側の面に接着された第２折込み片部（７０）と、
背面部の右側面側の辺部から第７折れ線（Ｃ５１）を介して連設されるとともに右側面部の背面側の辺部から第８折れ線（Ｃ３２）を介して連設された第３折込み片部で、底面部における背面側の辺部と右側面側の辺部間の角部から形成された第９折れ線（Ｃ８２）を介して第７折れ線側の領域である第１片部（８４）と、第９折れ線を介して第８折れ線側の領域である第２片部（８２）とを有し、第９折れ線を介して折り返された状態で、第２片部が右側面部の右側面側の面に接着されるか、あるいは、第１片部が背面部の背面側の面に接着された第３折込み片部（８０）と、
背面部の左側面側の辺部から第１０折れ線（Ｃ５２）を介して連設されるとともに左側面部の背面側の辺部から第１１折れ線（Ｃ４２）を介して連設された第４折込み片部で、底面部における背面側の辺部と左側面側の辺部間の角部から形成された第１２折れ線（Ｃ９２）を介して第１０折れ線側の領域である第３片部（９４）と、第１２折れ線を介して第１１折れ線側の領域である第４片部（９２）とを有し、第１２折れ線を介して折り返された状態で、第４片部が左側面部の左側面側の面に接着されるか、あるいは、第３片部が背面部の背面側の面に接着された第４折込み片部（９０）と、
第１外側片部と右側面部の境界位置又は右側面部の第１外側片部側の端部領域に設けられた右開口部（Ｋ６０）と、
第２外側片部と左側面部の境界位置又は左側面部の第２外側片部側の端部領域に設けられた左開口部（Ｋ７０）と、を有し、
蓋部が、背面部の底面部とは反対側の辺部から折れ線を介して連設され、
差込み片部が、蓋部の背面部とは反対側の辺部から折れ線を介して連設され、右側面側に突出した右係止部（１１４）と、左側面側に突出した左係止部（１１６）とを有し、
包装箱がシート状のブランクにより形成され、
差込み片部を蓋部に対して折り曲げた状態で、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックされ、
包装箱が閉状態でロックされた状態から、差込み片部を蓋部に対して正面上側に回動させることにより、差込み片部が曲り変形して、右係止部が右開口部から抜けて右係止部と右開口部との係合が解除されるとともに、左係止部が左開口部から抜けて左係止部と左開口部との係合が解除されることを特徴とする包装箱。
【請求項２】
蓋部と差込み片部間の折れ線における右側面側の端部から左側面側の端部までの途中位置である第１途中位置（Ｗ１）と、差込み片部の蓋部とは反対側である先端側の辺部における第１途中位置よりも左側面側の位置である第１位置（Ｖ１）との間に、第１途中位置と第１位置とを結ぶ方向に直線状に折曲げ用の第１罫線（Ｃ１１２）が形成され、
蓋部と差込み片部間の折れ線における左側面側の右側面側の端部から左側面側の端部までの途中位置で第１途中位置よりも左側面側の位置である第２途中位置（Ｗ２）と、差込み片部の先端側の辺部における第２途中位置よりも右側面側で、第１位置よりも左側面側の位置である第２位置（Ｖ２）との間に、第２途中位置と第２位置とを結ぶ方向に直線状に折曲げ用の第２罫線（Ｃ１１４）が形成され、
第１途中位置と、差込み片部の先端側の辺部における第１途中位置から蓋部と差込み片部間の折れ線に対して略直角方向の位置である第３位置（Ｖ３）との間に、第１途中位置と第３位置とを結ぶ方向に直線状に折曲げ用の第３罫線（Ｃ１１３）が形成され、
第２途中位置と、差込み片部の先端側の辺部における第２途中位置から蓋部と差込み片部間の折れ線に対して略直角方向の位置である第４位置（Ｖ４）との間に、第２途中位置と第４位置とを結ぶ方向に直線状に折曲げ用の第４罫線（Ｃ１１５）が形成され、
蓋部の右側面側の辺部における背面部側の端部から差込み片部側の端部までの途中位置である第３途中位置（Ｗ３）と第１途中位置との間に、第３途中位置と第１途中位置とを結ぶ方向に直線状に折曲げ用の第５罫線（Ｃ１０２）が形成され、
蓋部の左側面側の辺部における背面部側の端部から差込み片部側の端部までの途中位置である第４途中位置（Ｗ４）と第２途中位置との間に、第４途中位置と第２途中位置とを結ぶ方向に直線状に折曲げ用の第６罫線（Ｃ１０４）が形成され、
第１罫線と第２罫線が、差込み片部の左右方向における中心線で蓋部と差込み片部間の折れ線と直角をなす中心線を介して左右線対称に形成され、第５罫線と第６罫線が、蓋部の左右方向における中心線で蓋部と差込み片部間の折れ線と直角をなす中心線を介して左右線対称に形成され、
差込み片部における第１罫線と第２罫線の間の領域である中央領域（１１２−１）を蓋部に対して正面上側に回動させることにより、差込み片部における第１罫線と第３罫線の間の領域である第１中間領域（１１２−２）が、中央領域に対して第１罫線を介して回動するとともに、差込み片部における第３罫線よりも右側面側の領域である第１端部領域（１１２−４）に対して第３罫線を介して回動し、差込み片部における、差込み片部における第２罫線と第４罫線の間の領域である第２中間領域（１１２−３）が、中央領域に対して第２罫線を介して回動するとともに、差込み片部における第４罫線よりも左側面側の領域である第２端部領域（１１２−５）に対して第４罫線を介して回動し、
第１中間領域が回動することにより、蓋部における蓋部と差込み片部間の折れ線と第５罫線間の領域である第１角部領域（１０４）が、蓋部における第１角部領域と蓋部の差込み片部間の折れ線と第６罫線間の領域である第２角部領域（１０６）以外の領域である蓋部本体（１０２）に対して回動するとともに、第１端部領域が第１途中位置を中心に、正面視で右回転することにより、右係止部が右開口部から抜け、
第２中間領域が回動することにより、蓋部における蓋部と差込み片部間の折れ線と第６罫線間の領域である第２角部領域（１０６）が、蓋部本体（１０２）に対して回動するとともに、第２端部領域が第２途中位置を中心に、正面視で左回転することにより、左係止部が左開口部から抜けることを特徴とする請求項１に記載の包装箱。
【請求項３】
第１折れ線と第４折れ線が、正面部の底面側の辺部に対して、第１折れ線と第４折れ線が正面部の底面側の辺部に対して鈍角をなすように傾斜し、第１折れ線と第４折れ線間の長さが底面部側から底面部とは反対側にいくに従い長くなるように形成され、
第７折れ線と第１０折れ線が、背面部の底面側の辺部に対して、第７折れ線と第１０折れ線が背面部の底面側の辺部に対して鈍角をなすように傾斜し、第７折れ線と第１０折れ線間の長さが底面部側から底面部とは反対側にいくに従い長くなるように形成され、
右開口部は、右側面部と第１外側片部間の折れ線の方向に長穴状に形成され、左開口部は、左側面部と第２外側片部間の折れ線の方向に長穴状に形成されていることを特徴とする請求項１又は２に記載の包装箱。
【請求項４】
第１外側片部は、第１内側片部の上端よりも上方に突出して形成され、第２外側片部は、第２内側片部よりも上方に突出して形成されていることを特徴とする請求項１又は２又は３に記載の包装箱。
【請求項５】
包装箱であって、
包装箱本体（５）と、蓋部（１００）と、差込み片部（１１０）とを有し、
包装箱本体が、
互いに平行な一対の辺部と、該辺部と直角をなす互いに平行な一対の辺部とを有する底面部（１０）と、
底面部の正面側の辺部から折れ線を介して連設された正面部（２０）と、
底面部の右側面側の辺部から折れ線を介して連設された右側面部（３０）と、
底面部の左側面側の辺部から折れ線を介して連設された左側面部（４０）と、
底面部の背面側の辺部から折れ線を介して連設された背面部（５０）と、
正面部の右側面側の辺部から第１折れ線（Ｃ２１）を介して連設されるとともに右側面部の正面側の辺部から第２折れ線（Ｃ３１）を介して連設された第１折込み片部で、底面部における正面側の辺部と右側面側の辺部間の角部から形成された第３折れ線（Ｃ６２）を介して第１折れ線側の領域である第１内側片部（６２）と、第３折れ線を介して第２折れ線側の領域である第１外側片部（６４）とを有し、第３折れ線を介して折り返された状態で、第１内側片部が正面部の正面側の面に接着された第１折込み片部（６０）と、
正面部の左側面側の辺部から第４折れ線（Ｃ２２）を介して連設されるとともに左側面部の正面側の辺部から第５折れ線（Ｃ４１）を介して連設された第２折込み片部で、底面部における正面側の辺部と左側面側の辺部間の角部から形成された第６折れ線（Ｃ７２）を介して第４折れ線側の領域である第２内側片部（７２）と、第６折れ線を介して第５折れ線側の領域である第２外側片部（７４）とを有し、第６折れ線を介して折り返された状態で、第２内側片部が正面部の正面側の面に接着された第２折込み片部（７０）と、
背面部の右側面側の辺部から第７折れ線（Ｃ５１）を介して連設されるとともに右側面部の背面側の辺部から第８折れ線（Ｃ３２）を介して連設された第３折込み片部で、底面部における背面側の辺部と右側面側の辺部間の角部から形成された第９折れ線（Ｃ８２）を介して第７折れ線側の領域である第１片部（８４）と、第９折れ線を介して第８折れ線側の領域である第２片部（８２）とを有し、第９折れ線を介して折り返された状態で、第２片部が右側面部の右側面側の面に接着されるか、あるいは、第１片部が背面部の背面側の面に接着された第３折込み片部（８０）と、
背面部の左側面側の辺部から第１０折れ線（Ｃ５２）を介して連設されるとともに左側面部の背面側の辺部から第１１折れ線（Ｃ４２）を介して連設された第４折込み片部で、底面部における背面側の辺部と左側面側の辺部間の角部から形成された第１２折れ線（Ｃ９２）を介して第１０折れ線側の領域である第３片部（９４）と、第１２折れ線を介して第１１折れ線側の領域である第４片部（９２）とを有し、第１２折れ線を介して折り返された状態で、第４片部が左側面部の左側面側の面に接着されるか、あるいは、第３片部が背面部の背面側の面に接着された第４折込み片部（９０）と、
第１外側片部と右側面部の境界位置又は右側面部の第１外側片部側の端部領域に設けられ、第１外側片部と右側面部間の折れ線の方向に長穴状に形成された右開口部（Ｋ６０）と、
第２外側片部と左側面部の境界位置又は左側面部の第２外側片部側の端部領域に設けられ、第２外側片部と左側面部間の折れ線の方向に長穴状に形成された左開口部（Ｋ７０）と、を有し、
第１折れ線と第４折れ線が、正面部の底面側の辺部に対して、第１折れ線と第４折れ線が正面部の底面側の辺部に対して鈍角をなすように傾斜し、第１折れ線と第４折れ線間の長さが底面部側から底面部とは反対側にいくに従い長くなるように形成され、
第７折れ線と第１０折れ線が、背面部の底面側の辺部に対して、第７折れ線と第１０折れ線が背面部の底面側の辺部に対して鈍角をなすように傾斜し、第７折れ線と第１０折れ線間の長さが底面部側から底面部とは反対側にいくに従い長くなるように形成され、
第２折れ線と第８折れ線が、右側面部の底面側の辺部に対して、第２折れ線と第８折れ線が右側面部の底面側の辺部に対して鈍角をなすように傾斜し、第２折れ線と第８折れ線間の長さが底面部側から底面部とは反対側にいくに従い長くなるように形成され、
第５折れ線と第１１折れ線が、左側面部の底面側の辺部に対して、第５折れ線と第１１折れ線が左側面部の底面側の辺部に対して鈍角をなすように傾斜し、第５折れ線と第１１折れ線間の長さが底面部側から底面部とは反対側にいくに従い長くなるように形成され、
第１外側片部は、第１内側片部の上端よりも上方に突出して形成され、第２外側片部は、第２内側片部よりも上方に突出して形成され、
蓋部が、背面部の底面部とは反対側の辺部から折れ線を介して連設され、
差込み片部が、蓋部の背面部とは反対側の辺部から折れ線を介して連設され、右側面側に突出した右係止部（１１４）と、左側面側に突出した左係止部（１１６）とを有し、
蓋部と差込み片部間の折れ線における右側面側の端部から左側面側の端部までの途中位置である第１途中位置（Ｗ１）と、差込み片部の蓋部とは反対側である先端側の辺部における第１途中位置よりも左側面側の位置である第１位置（Ｖ１）との間に、第１途中位置と第１位置とを結ぶ方向に直線状に折曲げ用の第１罫線（Ｃ１１２）が形成され、
蓋部と差込み片部間の折れ線における左側面側の右側面側の端部から左側面側の端部までの途中位置で第１途中位置よりも左側面側の位置である第２途中位置（Ｗ２）と、差込み片部の先端側の辺部における第２途中位置よりも右側面側で、第１位置よりも左側面側の位置である第２位置（Ｖ２）との間に、第２途中位置と第２位置とを結ぶ方向に直線状に折曲げ用の第２罫線（Ｃ１１４）が形成され、
第１途中位置と、差込み片部の先端側の辺部における第１途中位置から蓋部と差込み片部間の折れ線に対して略直角方向の位置である第３位置（Ｖ３）との間に、第１途中位置と第３位置とを結ぶ方向に直線状に折曲げ用の第３罫線（Ｃ１１３）が形成され、
第２途中位置と、差込み片部の先端側の辺部における第２途中位置から蓋部と差込み片部間の折れ線に対して略直角方向の位置である第４位置（Ｖ４）との間に、第２途中位置と第４位置とを結ぶ方向に直線状に折曲げ用の第４罫線（Ｃ１１５）が形成され、
蓋部の右側面側の辺部における背面部側の端部から差込み片部側の端部までの途中位置である第３途中位置（Ｗ３）と第１途中位置との間に、第３途中位置と第１途中位置とを結ぶ方向に直線状に折曲げ用の第５罫線（Ｃ１０２）が形成され、
蓋部の左側面側の辺部における背面部側の端部から差込み片部側の端部までの途中位置である第４途中位置（Ｗ４）と第２途中位置との間に、第４途中位置と第２途中位置とを結ぶ方向に直線状に折曲げ用の第６罫線（Ｃ１０４）が形成され、
第１罫線と第２罫線が、差込み片部の左右方向における中心線で蓋部と差込み片部間の折れ線と直角をなす中心線を介して左右線対称に形成され、第５罫線と第６罫線が、蓋部の左右方向における中心線で蓋部と差込み片部間の折れ線と直角をなす中心線を介して左右線対称に形成され、
包装箱がシート状のブランクにより形成され、
差込み片部を蓋部に対して折り曲げた状態で、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックされ、
包装箱が閉状態でロックされた状態から差込み片部における第１罫線と第２罫線の間の領域である中央領域（１１２−１）を蓋部に対して正面上側に回動させることにより、差込み片部における第１罫線と第３罫線の間の領域である第１中間領域（１１２−２）が、中央領域に対して第１罫線を介して回動するとともに、差込み片部における第３罫線よりも右側面側の領域である第１端部領域（１１２−４）に対して第３罫線を介して回動し、差込み片部における、差込み片部における第２罫線と第４罫線の間の領域である第２中間領域（１１２−３）が、中央領域に対して第２罫線を介して回動するとともに、差込み片部における第４罫線よりも左側面側の領域である第２端部領域（１１２−５）に対して第４罫線を介して回動し、
第１中間領域が回動することにより、蓋部における蓋部と差込み片部間の折れ線と第５罫線間の領域である第１角部領域（１０４）が、蓋部における第１角部領域と蓋部の差込み片部間の折れ線と第６罫線間の領域である第２角部領域（１０６）以外の領域である蓋部本体（１０２）に対して回動するとともに、第１端部領域が第１途中位置を中心に、正面視で右回転することにより、右係止部が右開口部から抜けて右係止部と右開口部との係合が解除され、
第２中間領域が回動することにより、蓋部における蓋部と差込み片部間の折れ線と第６罫線間の領域である第２角部領域（１０６）が、蓋部本体（１０２）に対して回動するとともに、第２端部領域が第２途中位置を中心に、正面視で左回転することにより、左係止部が左開口部から抜けて左係止部と左開口部との係合が解除されることを特徴とする包装箱。
【請求項６】
底面部には、底面部の正面側の辺部である第１辺部（１０ａ）と、底面部の右側面側の辺部である第２辺部（１０ｂ）と、底面部の左側面側の辺部である第３辺部（１０ｃ）と、底面部の背面側の辺部である第４辺部（１０ｄ）における互いに相対する辺部における一方の辺部である第１対象辺部（１０ｂ）と平行に直線状の折曲げ用の第７罫線（Ｃ１４）が形成され、該相対する辺部における他方の辺部である第２対象辺部（１０ｃ）と平行に直線状の折曲げ用の第８罫線（Ｃ１５）が形成され、第８罫線は、第７罫線よりも第２対象辺部側に形成され、第７罫線と第１対象辺部間の長さと第８罫線と第２対象辺部間の長さは略同一に形成され、
第１辺部と第２辺部間の角部である第１角部と、第７罫線上又は第７罫線の延長線上の位置で第１辺部と第２辺部と第３辺部と第４辺部からなる辺部群における第１対象辺部と第２対象辺部以外の一対の辺部である隣接辺部群の一方である第１隣接辺部（１０ａ）から間隔を介した位置である第５位置（Ｕ１）間に第１角部と第５位置を結ぶ方向に直線状に折曲げ用の第９罫線（Ｃ１６）が形成され、
第２辺部と第４辺部間の角部である第２角部と、第７罫線上又は第７罫線の延長線上のの位置で隣接辺部群の他方である第２隣接辺部（１０ｄ）から間隔を介した位置である第６位置（Ｕ２）間に第２角部と第６位置を結ぶ方向に直線状に折曲げ用の第１０罫線（Ｃ１７）が形成され、
第１辺部と第３辺部間の角部である第３角部と、第８罫線上又は第８罫線の延長線上の位置で第１隣接辺部から間隔を介した位置である第７位置（Ｕ３）間に第３角部と第７位置を結ぶ方向に直線状に折曲げ用の第１１罫線（Ｃ１８）が形成され、
第３辺部と第４辺部間の角部である第４角部と、第８罫線上又は第８罫線の延長線上の位置で第２隣接辺部から間隔を介した位置である第８位置（Ｕ４）間に第４角部と第８位置を結ぶ方向に直線状に折曲げ用の第１２罫線（Ｃ１９）が形成され、
第７罫線に沿った領域を押さえることにより、第７罫線と第９罫線と第１０罫線を介して底面部の第１対象辺部側が湾曲し、
第８罫線に沿った領域を押さえることにより、第８罫線と第１１罫線と第１２罫線を介して底面部の第２対象辺部側が湾曲することを特徴とする１又は２又は３又は４又は５に記載の包装箱。
【請求項７】
第１折込み片部の仮想展開状態では、第３折れ線の底面部側とは反対側の端部である第１端部（Ｃ６２−１）は、第１折れ線の底面部側とは反対側の端部と第２折れ線の底面部側とは反対側の端部を結ぶ仮想直線（Ｌ６２ａ）よりも底面部側にあり、第１内側片部と第１外側片部の間には、第３折れ線の第１端部を底面部側の端部とする切欠き（Ｋ６２）が形成され、
第２折込み片部の仮想展開状態では、第６折れ線の底面部側とは反対側の端部である第２端部（Ｃ７２−１）は、第４折れ線の底面部側とは反対側の端部と第５折れ線の底面図側とは反対側の端部を結ぶ仮想直線（Ｌ７２ａ）よりも底面部側にあり、第２内側片部と第２外側片部の間には、第６折れ線の第２端部を底面部側の端部とする切欠き（Ｋ７２）が形成されていることを特徴とする請求項１又は２又は３又は４又は５又は６に記載の包装箱。
【請求項８】
右開口部については、包装箱本体の仮想展開状態において、第１外側片部と右側面部の境界位置又は右側面部の第１外側片部側の端部領域に開口部が設けられることにより、右開口部が設けられているか、あるいは、包装箱本体の仮想展開状態において、第１外側片部と右側面部の境界位置に第１切込み（Ｋ６１）が設けられ、第１切込みの両側の端部分が第２折れ線に接していて、第１外側片部が、該第１切込みに対応した辺部を有する第１突状部（６４−１）を有し、包装箱の組立て状態では、右側面部の第１外側片部側の端部領域に、第１切込みに対応した辺部を有する開口部により右開口部が設けられ、
左開口部については、包装箱本体の仮想展開状態において、第２外側片部と左側面部の境界位置又は左側面部の第２外側片部側の端部領域に開口部が設けられることにより、左開口部が設けられているか、あるいは、包装箱本体の仮想展開状態において、第２外側片部と左側面部の境界位置に第２切込み（Ｋ７１）が設けられ、第２切込みの両側の端部分が第５折れ線に接していて、第２外側片部が、該第２切込みに対応した辺部を有する第２突状部（７４−１）を有し、包装箱の組立て状態では、左側面部の第２外側片部側の端部領域に、第２切込みに対応した辺部を有する開口部により左開口部が設けられていることを特徴とする請求項１又は２又は３又は４又は５又は６又は７に記載の包装箱。
【請求項９】
第１外側片部には、第２折れ線と第３折れ線の接点と、第１外側片部における辺部で第３折れ線の底面部側とは反対側の端部である第１端部（Ｃ６２−１）よりも上側の辺部における一方の端部から他方の端部までの途中位置である第９位置（Ｃ６４−１）との間に、第２折れ線と第３折れ線の接点と第９位置を結ぶ方向に直線状に折曲げ用の第１３罫線（Ｃ６４）が形成され、
第２外側片部には、第５折れ線と第６折れ線の接点と、第２外側片部における辺部で第６折れ線の底面部側とは反対側の端部である第２端部（Ｃ７２−１）よりも上側の辺部における一方の端部から他方の端部までの途中位置である第１０位置（Ｃ７４−１）との間に、第５折れ線と第６折れ線の接点と第１０位置を結ぶ方向に直線状に折曲げ用の第１４罫線（Ｃ７４）が形成されていることを特徴とする請求項１又は２又は３又は４又は５又は６又は７又は８に記載の包装箱。
【発明の詳細な説明】
【技術分野】
【０００１】
本発明は、包装箱に関するものであり、特に、ウォータータイト構造の包装箱に関するものである。
【背景技術】
【０００２】
従来より、底面部の各辺から側面部が連設され、隣接する側面部間に折込み片部が設けられた、いわゆるウォータータイト構造の包装箱が知られている。
【０００３】
ここで、相対する側面部における一方の側面部から連設された蓋部が他方の側面部までカバーするウォータータイト構造の包装箱として、特許文献１の図３に示す紙容器が存在する。
【０００４】
すなわち、特許文献１の図３に記載の紙容器は、図２０に示すように構成され、底板１１と、側板１２、１３と、外折り込み片１４と、内折り込み片１５と、蓋板１６と、差し込み片１７とを有している。外折り込み片１４と内折り込み片１５とでウェッブコーナー部Ｗが構成されている。
【０００５】
また、出願人は、ウォータータイト構造の包装箱として、特許文献２に示す出願を行っている。特許文献２における包装箱は、図２１に示す構成であり、相対する側面部の一方から蓋部２００が連設され、他方から蓋部２０２が連設されている。
【先行技術文献】
【特許文献】
【０００６】
【特許文献１】特開２００４−２２４３５６号公報
【特許文献２】意匠登録第１３０４９９１号公報
【発明の概要】
【発明が解決しようとする課題】
【０００７】
しかし、図２０に示す紙容器においては、蓋板１６を閉状態で固定する際には、差し込み片１７が側板１２の内側に差し込まれた状態となり、そうすると、食品が収納される場合に、差し込み片１７が食品に接するおそれがあり、不衛生であるとともに、差し込み片１７が食品に接して汚れてしまい、蓋板１６を開状態とした際に、差し込み片１７の見栄えが悪く、また、差し込み片１７が洋服等の外部の物に接して、差し込み片１７に付着した液体等により該外部の物が汚れてしまうおそれがある。特に、側板１３から連設されたフラップに比べて、差込み片１７の先端が下方まで浸入するので、収納された食品に接するおそれがフラップに比べて高い。
【０００８】
また、図２０に示す紙容器では、差し込み片１７を側板１２の内側に差し込むのみであるので、容器を閉状態でロックすることができない。
【０００９】
また、図２０に示す紙容器において、蓋板１６が閉状態で差し込み片１７が側板１２の内側に差し込まれた状態から蓋板１６を開状態にする際には、一般には、差し込み片１７と側板１２の間に指を入れて、指で差し込み片１７を引き上げることにより蓋板１６を開状態にするが、差し込み片１７の面が滑りやすい場合には容易に差し込み片１７を引き上げることができず、開状態にする操作が面倒である。
【００１０】
特に、図２０に示す紙容器において、側板１２と側板１３から連設されたフラップ２０間の隙間を狭くすると、差し込み片１７が差し込まれた状態から抜けにくくできるものの、蓋板１６を開状態にするのが困難となり、一方、側板１２とフラップ２０間の隙間を広くすると、蓋板１６を開状態するのはその分容易となるが、差し込み片１７が容易に抜けてしまうので、不用意に蓋板１６が開状態になってしまう。また、指が汚れている場合に、差し込み片１７と側板１２間に入れた指から汚れが落下してしまうおそれがあり、その点でも不衛生である。
【００１１】
なお、特許文献２に記載の包装箱においては、図２０の紙容器のように片部が収納空間内に入り込むおそれがないので、上記のように不衛生となる問題は生じないが、蓋部の開閉に際して、２つの蓋部２００、２０２を係止させたり、２つの蓋部２００、２０２の係止を解除しなければならず、図２０のように差し込み片を差し込む構造に比べて開閉の動作が面倒であり、また、蓋部２００、２０２が開いた状態では、蓋部が連設された一対の側面部を正面側と背面側にして蓋部２００、２０２を開いた場合に、蓋部は背面側だけでなく、正面側にも開いた状態となるため、収納された食品が食する場合に、正面側に開いた蓋部が邪魔になってしまう。その点、図２０のように、一方の側面部から連設された蓋部が他方の側面部までカバーするタイプでは、蓋部を背面側に配置すれば正面側に蓋部が配置されないので、そのような問題はない。
【００１２】
そこで、本発明は、ウォータータイト構造の包装箱で、相対する側面部における一方の側面部から連設された蓋部が他方の側面部までカバーする包装箱において、蓋部から連設された差込み片部が側面部の内側に差し込まれない構造とすることにより不衛生となることがなく、また、包装箱を閉状態でロックすることができるとともに、蓋部の開操作が容易となる包装箱を提供することを目的とする。
【課題を解決するための手段】
【００１３】
本発明は上記問題点を解決するために創作されたものであって、第１には、包装箱であって、包装箱本体（５）と、蓋部（１００）と、差込み片部（１１０）とを有し、包装箱本体が、互いに平行な一対の辺部と、該辺部と直角をなす互いに平行な一対の辺部とを有する底面部（１０）と、底面部の正面側の辺部から折れ線を介して連設された正面部（２０）と、底面部の右側面側の辺部から折れ線を介して連設された右側面部（３０）と、底面部の左側面側の辺部から折れ線を介して連設された左側面部（４０）と、底面部の背面側の辺部から折れ線を介して連設された背面部（５０）と、正面部の右側面側の辺部から第１折れ線（Ｃ２１）を介して連設されるとともに右側面部の正面側の辺部から第２折れ線（Ｃ３１）を介して連設された第１折込み片部で、底面部における正面側の辺部と右側面側の辺部間の角部から形成された第３折れ線（Ｃ６２）を介して第１折れ線側の領域である第１内側片部（６２）と、第３折れ線を介して第２折れ線側の領域である第１外側片部（６４）とを有し、第３折れ線を介して折り返された状態で、第１内側片部が正面部の正面側の面に接着された第１折込み片部（６０）と、正面部の左側面側の辺部から第４折れ線（Ｃ２２）を介して連設されるとともに左側面部の正面側の辺部から第５折れ線（Ｃ４１）を介して連設された第２折込み片部で、底面部における正面側の辺部と左側面側の辺部間の角部から形成された第６折れ線（Ｃ７２）を介して第４折れ線側の領域である第２内側片部（７２）と、第６折れ線を介して第５折れ線側の領域である第２外側片部（７４）とを有し、第６折れ線を介して折り返された状態で、第２内側片部が正面部の正面側の面に接着された第２折込み片部（７０）と、背面部の右側面側の辺部から第７折れ線（Ｃ５１）を介して連設されるとともに右側面部の背面側の辺部から第８折れ線（Ｃ３２）を介して連設された第３折込み片部で、底面部における背面側の辺部と右側面側の辺部間の角部から形成された第９折れ線（Ｃ８２）を介して第７折れ線側の領域である第１片部（８４）と、第９折れ線を介して第８折れ線側の領域である第２片部（８２）とを有し、第９折れ線を介して折り返された状態で、第２片部が右側面部の右側面側の面に接着されるか、あるいは、第１片部が背面部の背面側の面に接着された第３折込み片部（８０）と、背面部の左側面側の辺部から第１０折れ線（Ｃ５２）を介して連設されるとともに左側面部の背面側の辺部から第１１折れ線（Ｃ４２）を介して連設された第４折込み片部で、底面部における背面側の辺部と左側面側の辺部間の角部から形成された第１２折れ線（Ｃ９２）を介して第１０折れ線側の領域である第３片部（９４）と、第１２折れ線を介して第１１折れ線側の領域である第４片部（９２）とを有し、第１２折れ線を介して折り返された状態で、第４片部が左側面部の左側面側の面に接着されるか、あるいは、第３片部が背面部の背面側の面に接着された第４折込み片部（９０）と、第１外側片部と右側面部の境界位置又は右側面部の第１外側片部側の端部領域に設けられた右開口部（Ｋ６０）と、第２外側片部と左側面部の境界位置又は左側面部の第２外側片部側の端部領域に設けられた左開口部（Ｋ７０）と、を有し、蓋部が、背面部の底面部とは反対側の辺部から折れ線を介して連設され、差込み片部が、蓋部の背面部とは反対側の辺部から折れ線を介して連設され、右側面側に突出した右係止部（１１４）と、左側面側に突出した左係止部（１１６）とを有し、包装箱がシート状のブランクにより形成され、差込み片部を蓋部に対して折り曲げた状態で、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックされ、包装箱が閉状態でロックされた状態から、差込み片部を蓋部に対して正面上側に回動させることにより、差込み片部が曲り変形して、右係止部が右開口部から抜けて右係止部と右開口部との係合が解除されるとともに、左係止部が左開口部から抜けて左係止部と左開口部との係合が解除されることを特徴とする。
【００１４】
第１の構成においては、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックすることができ、また、差込み片部は、正面部の内側には差し込まれないので、不衛生となることがない。
【００１５】
また、包装箱が閉状態でロックされた状態から、差込み片部を蓋部に対して正面上側に回動させることにより、差込み片部が曲り変形して、右係止部と右開口部との係合が解除されるとともに左係止部と左開口部との係合が解除されるので、蓋部の開操作を容易とすることができる。
【００１６】
また、第２には、上記第１の構成において、蓋部と差込み片部間の折れ線における右側面側の端部から左側面側の端部までの途中位置である第１途中位置（Ｗ１）と、差込み片部の蓋部とは反対側である先端側の辺部における第１途中位置よりも左側面側の位置である第１位置（Ｖ１）との間に、第１途中位置と第１位置とを結ぶ方向に直線状に折曲げ用の第１罫線（Ｃ１１２）が形成され、蓋部と差込み片部間の折れ線における左側面側の右側面側の端部から左側面側の端部までの途中位置で第１途中位置よりも左側面側の位置である第２途中位置（Ｗ２）と、差込み片部の先端側の辺部における第２途中位置よりも右側面側で、第１位置よりも左側面側の位置である第２位置（Ｖ２）との間に、第２途中位置と第２位置とを結ぶ方向に直線状に折曲げ用の第２罫線（Ｃ１１４）が形成され、第１途中位置と、差込み片部の先端側の辺部における第１途中位置から蓋部と差込み片部間の折れ線に対して略直角方向の位置である第３位置（Ｖ３）との間に、第１途中位置と第３位置とを結ぶ方向に直線状に折曲げ用の第３罫線（Ｃ１１３）が形成され、第２途中位置と、差込み片部の先端側の辺部における第２途中位置から蓋部と差込み片部間の折れ線に対して略直角方向の位置である第４位置（Ｖ４）との間に、第２途中位置と第４位置とを結ぶ方向に直線状に折曲げ用の第４罫線（Ｃ１１５）が形成され、蓋部の右側面側の辺部における背面部側の端部から差込み片部側の端部までの途中位置である第３途中位置（Ｗ３）と第１途中位置との間に、第３途中位置と第１途中位置とを結ぶ方向に直線状に折曲げ用の第５罫線（Ｃ１０２）が形成され、蓋部の左側面側の辺部における背面部側の端部から差込み片部側の端部までの途中位置である第４途中位置（Ｗ４）と第２途中位置との間に、第４途中位置と第２途中位置とを結ぶ方向に直線状に折曲げ用の第６罫線（Ｃ１０４）が形成され、第１罫線と第２罫線が、差込み片部の左右方向における中心線で蓋部と差込み片部間の折れ線と直角をなす中心線を介して左右線対称に形成され、第５罫線と第６罫線が、蓋部の左右方向における中心線で蓋部と差込み片部間の折れ線と直角をなす中心線を介して左右線対称に形成され、差込み片部における第１罫線と第２罫線の間の領域である中央領域（１１２−１）を蓋部に対して正面上側に回動させることにより、差込み片部における第１罫線と第３罫線の間の領域である第１中間領域（１１２−２）が、中央領域に対して第１罫線を介して回動するとともに、差込み片部における第３罫線よりも右側面側の領域である第１端部領域（１１２−４）に対して第３罫線を介して回動し、差込み片部における、差込み片部における第２罫線と第４罫線の間の領域である第２中間領域（１１２−３）が、中央領域に対して第２罫線を介して回動するとともに、差込み片部における第４罫線よりも左側面側の領域である第２端部領域（１１２−５）に対して第４罫線を介して回動し、第１中間領域が回動することにより、蓋部における蓋部と差込み片部間の折れ線と第５罫線間の領域である第１角部領域（１０４）が、蓋部における第１角部領域と蓋部の差込み片部間の折れ線と第６罫線間の領域である第２角部領域（１０６）以外の領域である蓋部本体（１０２）に対して回動するとともに、第１端部領域が第１途中位置を中心に、正面視で右回転することにより、右係止部が右開口部から抜け、第２中間領域が回動することにより、蓋部における蓋部と差込み片部間の折れ線と第６罫線間の領域である第２角部領域（１０６）が、蓋部本体（１０２）に対して回動するとともに、第２端部領域が第２途中位置を中心に、正面視で左回転することにより、左係止部が左開口部から抜けることを特徴とする。
【００１７】
第２の構成においては、蓋部と差込み片部に第１罫線〜第６罫線が設けられているので、中央領域を蓋部に対して正面上側に回動させることにより容易に蓋部の開操作を行なうことができる。
【００１８】
また、第３には、上記第１又は第２の構成において、第１折れ線と第４折れ線が、正面部の底面側の辺部に対して、第１折れ線と第４折れ線が正面部の底面側の辺部に対して鈍角をなすように傾斜し、第１折れ線と第４折れ線間の長さが底面部側から底面部とは反対側にいくに従い長くなるように形成され、第７折れ線と第１０折れ線が、背面部の底面側の辺部に対して、第７折れ線と第１０折れ線が背面部の底面側の辺部に対して鈍角をなすように傾斜し、第７折れ線と第１０折れ線間の長さが底面部側から底面部とは反対側にいくに従い長くなるように形成され、右開口部は、右側面部と第１外側片部間の折れ線の方向に長穴状に形成され、左開口部は、左側面部と第２外側片部間の折れ線の方向に長穴状に形成されていることを特徴とする。
【００１９】
第３の構成においては、第１折れ線と第４折れ線が、正面部の底面側の辺部に対して傾斜して形成されていて、右開口部は、右側面部と第１外側片部間の折れ線の方向に長穴状に形成され、左開口部は、左側面部と第２外側片部間の折れ線の方向に長穴状に形成されているので、右係止部が右開口部に容易に入り込み、左係止部が左開口部に容易に入り込み、右係止部と右開口部を容易に係合させ、左係止部と左開口部を容易に係合させることができる。
【００２０】
また、第４には、上記第１から第３までのいずれかの構成において、第１外側片部は、第１内側片部の上端よりも上方に突出して形成され、第２外側片部は、第２内側片部よりも上方に突出して形成されていることを特徴とする。
【００２１】
第４の構成においては、差込み片部が第１外側片部及び第２外側片部の内側の面に接しやすいので、差込み片部を第１外側片部と第１内側片部の隙間と第２外側片部と第２内側片部の隙間に円滑に差し込むことができる。
【００２２】
また、第５には、包装箱であって、包装箱本体（５）と、蓋部（１００）と、差込み片部（１１０）とを有し、包装箱本体が、互いに平行な一対の辺部と、該辺部と直角をなす互いに平行な一対の辺部とを有する底面部（１０）と、底面部の正面側の辺部から折れ線を介して連設された正面部（２０）と、底面部の右側面側の辺部から折れ線を介して連設された右側面部（３０）と、底面部の左側面側の辺部から折れ線を介して連設された左側面部（４０）と、底面部の背面側の辺部から折れ線を介して連設された背面部（５０）と、正面部の右側面側の辺部から第１折れ線（Ｃ２１）を介して連設されるとともに右側面部の正面側の辺部から第２折れ線（Ｃ３１）を介して連設された第１折込み片部で、底面部における正面側の辺部と右側面側の辺部間の角部から形成された第３折れ線（Ｃ６２）を介して第１折れ線側の領域である第１内側片部（６２）と、第３折れ線を介して第２折れ線側の領域である第１外側片部（６４）とを有し、第３折れ線を介して折り返された状態で、第１内側片部が正面部の正面側の面に接着された第１折込み片部（６０）と、正面部の左側面側の辺部から第４折れ線（Ｃ２２）を介して連設されるとともに左側面部の正面側の辺部から第５折れ線（Ｃ４１）を介して連設された第２折込み片部で、底面部における正面側の辺部と左側面側の辺部間の角部から形成された第６折れ線（Ｃ７２）を介して第４折れ線側の領域である第２内側片部（７２）と、第６折れ線を介して第５折れ線側の領域である第２外側片部（７４）とを有し、第６折れ線を介して折り返された状態で、第２内側片部が正面部の正面側の面に接着された第２折込み片部（７０）と、背面部の右側面側の辺部から第７折れ線（Ｃ５１）を介して連設されるとともに右側面部の背面側の辺部から第８折れ線（Ｃ３２）を介して連設された第３折込み片部で、底面部における背面側の辺部と右側面側の辺部間の角部から形成された第９折れ線（Ｃ８２）を介して第７折れ線側の領域である第１片部（８４）と、第９折れ線を介して第８折れ線側の領域である第２片部（８２）とを有し、第９折れ線を介して折り返された状態で、第２片部が右側面部の右側面側の面に接着されるか、あるいは、第１片部が背面部の背面側の面に接着された第３折込み片部（８０）と、背面部の左側面側の辺部から第１０折れ線（Ｃ５２）を介して連設されるとともに左側面部の背面側の辺部から第１１折れ線（Ｃ４２）を介して連設された第４折込み片部で、底面部における背面側の辺部と左側面側の辺部間の角部から形成された第１２折れ線（Ｃ９２）を介して第１０折れ線側の領域である第３片部（９４）と、第１２折れ線を介して第１１折れ線側の領域である第４片部（９２）とを有し、第１２折れ線を介して折り返された状態で、第４片部が左側面部の左側面側の面に接着されるか、あるいは、第３片部が背面部の背面側の面に接着された第４折込み片部（９０）と、第１外側片部と右側面部の境界位置又は右側面部の第１外側片部側の端部領域に設けられ、第１外側片部と右側面部間の折れ線の方向に長穴状に形成された右開口部（Ｋ６０）と、第２外側片部と左側面部の境界位置又は左側面部の第２外側片部側の端部領域に設けられ、第２外側片部と左側面部間の折れ線の方向に長穴状に形成された左開口部（Ｋ７０）と、を有し、第１折れ線と第４折れ線が、正面部の底面側の辺部に対して、第１折れ線と第４折れ線が正面部の底面側の辺部に対して鈍角をなすように傾斜し、第１折れ線と第４折れ線間の長さが底面部側から底面部とは反対側にいくに従い長くなるように形成され、第７折れ線と第１０折れ線が、背面部の底面側の辺部に対して、第７折れ線と第１０折れ線が背面部の底面側の辺部に対して鈍角をなすように傾斜し、第７折れ線と第１０折れ線間の長さが底面部側から底面部とは反対側にいくに従い長くなるように形成され、第２折れ線と第８折れ線が、右側面部の底面側の辺部に対して、第２折れ線と第８折れ線が右側面部の底面側の辺部に対して鈍角をなすように傾斜し、第２折れ線と第８折れ線間の長さが底面部側から底面部とは反対側にいくに従い長くなるように形成され、第５折れ線と第１１折れ線が、左側面部の底面側の辺部に対して、第５折れ線と第１１折れ線が左側面部の底面側の辺部に対して鈍角をなすように傾斜し、第５折れ線と第１１折れ線間の長さが底面部側から底面部とは反対側にいくに従い長くなるように形成され、第１外側片部は、第１内側片部の上端よりも上方に突出して形成され、第２外側片部は、第２内側片部よりも上方に突出して形成され、蓋部が、背面部の底面部とは反対側の辺部から折れ線を介して連設され、差込み片部が、蓋部の背面部とは反対側の辺部から折れ線を介して連設され、右側面側に突出した右係止部（１１４）と、左側面側に突出した左係止部（１１６）とを有し、蓋部と差込み片部間の折れ線における右側面側の端部から左側面側の端部までの途中位置である第１途中位置（Ｗ１）と、差込み片部の蓋部とは反対側である先端側の辺部における第１途中位置よりも左側面側の位置である第１位置（Ｖ１）との間に、第１途中位置と第１位置とを結ぶ方向に直線状に折曲げ用の第１罫線（Ｃ１１２）が形成され、蓋部と差込み片部間の折れ線における左側面側の右側面側の端部から左側面側の端部までの途中位置で第１途中位置よりも左側面側の位置である第２途中位置（Ｗ２）と、差込み片部の先端側の辺部における第２途中位置よりも右側面側で、第１位置よりも左側面側の位置である第２位置（Ｖ２）との間に、第２途中位置と第２位置とを結ぶ方向に直線状に折曲げ用の第２罫線（Ｃ１１４）が形成され、第１途中位置と、差込み片部の先端側の辺部における第１途中位置から蓋部と差込み片部間の折れ線に対して略直角方向の位置である第３位置（Ｖ３）との間に、第１途中位置と第３位置とを結ぶ方向に直線状に折曲げ用の第３罫線（Ｃ１１３）が形成され、第２途中位置と、差込み片部の先端側の辺部における第２途中位置から蓋部と差込み片部間の折れ線に対して略直角方向の位置である第４位置（Ｖ４）との間に、第２途中位置と第４位置とを結ぶ方向に直線状に折曲げ用の第４罫線（Ｃ１１５）が形成され、蓋部の右側面側の辺部における背面部側の端部から差込み片部側の端部までの途中位置である第３途中位置（Ｗ３）と第１途中位置との間に、第３途中位置と第１途中位置とを結ぶ方向に直線状に折曲げ用の第５罫線（Ｃ１０２）が形成され、蓋部の左側面側の辺部における背面部側の端部から差込み片部側の端部までの途中位置である第４途中位置（Ｗ４）と第２途中位置との間に、第４途中位置と第２途中位置とを結ぶ方向に直線状に折曲げ用の第６罫線（Ｃ１０４）が形成され、第１罫線と第２罫線が、差込み片部の左右方向における中心線で蓋部と差込み片部間の折れ線と直角をなす中心線を介して左右線対称に形成され、第５罫線と第６罫線が、蓋部の左右方向における中心線で蓋部と差込み片部間の折れ線と直角をなす中心線を介して左右線対称に形成され、包装箱がシート状のブランクにより形成され、差込み片部を蓋部に対して折り曲げた状態で、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックされ、包装箱が閉状態でロックされた状態から差込み片部における第１罫線と第２罫線の間の領域である中央領域（１１２−１）を蓋部に対して正面上側に回動させることにより、差込み片部における第１罫線と第３罫線の間の領域である第１中間領域（１１２−２）が、中央領域に対して第１罫線を介して回動するとともに、差込み片部における第３罫線よりも右側面側の領域である第１端部領域（１１２−４）に対して第３罫線を介して回動し、差込み片部における、差込み片部における第２罫線と第４罫線の間の領域である第２中間領域（１１２−３）が、中央領域に対して第２罫線を介して回動するとともに、差込み片部における第４罫線よりも左側面側の領域である第２端部領域（１１２−５）に対して第４罫線を介して回動し、第１中間領域が回動することにより、蓋部における蓋部と差込み片部間の折れ線と第５罫線間の領域である第１角部領域（１０４）が、蓋部における第１角部領域と蓋部の差込み片部間の折れ線と第６罫線間の領域である第２角部領域（１０６）以外の領域である蓋部本体（１０２）に対して回動するとともに、第１端部領域が第１途中位置を中心に、正面視で右回転することにより、右係止部が右開口部から抜けて右係止部と右開口部との係合が解除され、第２中間領域が回動することにより、蓋部における蓋部と差込み片部間の折れ線と第６罫線間の領域である第２角部領域（１０６）が、蓋部本体（１０２）に対して回動するとともに、第２端部領域が第２途中位置を中心に、正面視で左回転することにより、左係止部が左開口部から抜けて左係止部と左開口部との係合が解除されることを特徴とする。
【００２３】
第５の構成においては、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックすることができ、また、差込み片部は、正面部の内側には差し込まれないので、不衛生となることがない。
【００２４】
また、包装箱が閉状態でロックされた状態から、差込み片部を蓋部に対して正面上側に回動させることにより、差込み片部が曲り変形して、右係止部と右開口部との係合が解除されるとともに左係止部と左開口部との係合が解除されるので、蓋部の開操作を容易とすることができる。
【００２５】
また、蓋部と差込み片部に第１罫線〜第６罫線が設けられているので、中央領域を蓋部に対して正面上側に回動させることにより容易に蓋部の開操作を行なうことができる。
【００２６】
第１折れ線と第４折れ線が、正面部の底面側の辺部に対して傾斜して形成されていて、右開口部は、右側面部と第１外側片部間の折れ線の方向に長穴状に形成され、左開口部は、左側面部と第２外側片部間の折れ線の方向に長穴状に形成されているので、右係止部が右開口部に容易に入り込み、左係止部が左開口部に容易に入り込み、右係止部と右開口部を容易に係合させ、左係止部と左開口部を容易に係合させることができる。
【００２７】
また、第１外側片部は、第１内側片部の上端よりも上方に突出して形成され、第２外側片部は、第２内側片部よりも上方に突出して形成されているので、差込み片部が第１外側片部及び第２外側片部の内側の面に接しやすく、差込み片部を第１外側片部と第１内側片部の隙間と第２外側片部と第２内側片部の隙間に円滑に差し込むことができる。
【００２８】
また、第６には、上記第１から第５までのいずれかの構成において、底面部には、底面部の正面側の辺部である第１辺部（１０ａ）と、底面部の右側面側の辺部である第２辺部（１０ｂ）と、底面部の左側面側の辺部である第３辺部（１０ｃ）と、底面部の背面側の辺部である第４辺部（１０ｄ）における互いに相対する辺部における一方の辺部である第１対象辺部（１０ｂ）と平行に直線状の折曲げ用の第７罫線（Ｃ１４）が形成され、該相対する辺部における他方の辺部である第２対象辺部（１０ｃ）と平行に直線状の折曲げ用の第８罫線（Ｃ１５）が形成され、第８罫線は、第７罫線よりも第２対象辺部側に形成され、第７罫線と第１対象辺部間の長さと第８罫線と第２対象辺部間の長さは略同一に形成され、第１辺部と第２辺部間の角部である第１角部と、第７罫線上又は第７罫線の延長線上の位置で第１辺部と第２辺部と第３辺部と第４辺部からなる辺部群における第１対象辺部と第２対象辺部以外の一対の辺部である隣接辺部群の一方である第１隣接辺部（１０ａ）から間隔を介した位置である第５位置（Ｕ１）間に第１角部と第５位置を結ぶ方向に直線状に折曲げ用の第９罫線（Ｃ１６）が形成され、第２辺部と第４辺部間の角部である第２角部と、第７罫線上又は第７罫線の延長線上のの位置で隣接辺部群の他方である第２隣接辺部（１０ｄ）から間隔を介した位置である第６位置（Ｕ２）間に第２角部と第６位置を結ぶ方向に直線状に折曲げ用の第１０罫線（Ｃ１７）が形成され、第１辺部と第３辺部間の角部である第３角部と、第８罫線上又は第８罫線の延長線上の位置で第１隣接辺部から間隔を介した位置である第７位置（Ｕ３）間に第３角部と第７位置を結ぶ方向に直線状に折曲げ用の第１１罫線（Ｃ１８）が形成され、第３辺部と第４辺部間の角部である第４角部と、第８罫線上又は第８罫線の延長線上の位置で第２隣接辺部から間隔を介した位置である第８位置（Ｕ４）間に第４角部と第８位置を結ぶ方向に直線状に折曲げ用の第１２罫線（Ｃ１９）が形成され、第７罫線に沿った領域を押さえることにより、第７罫線と第９罫線と第１０罫線を介して底面部の第１対象辺部側が湾曲し、第８罫線に沿った領域を押さえることにより、第８罫線と第１１罫線と第１２罫線を介して底面部の第２対象辺部側が湾曲することを特徴とする。
【００２９】
第６の構成においては、蓋部に親指が接し、一方の手の中指と薬指と小指で第７罫線の箇所を押え、他方の手の中指と薬指と小指で第８罫線の箇所を押えることにより、第７罫線と第９罫線と第１０罫線を介して底面部の第１対象辺部側が湾曲し、第８罫線と第１１罫線と第１２罫線を介して底面部の第２対象辺部側が湾曲し、包装箱を持ちやすくすることができる。
【００３０】
また、第７には、上記第１から第６までのいずれかの構成において、第１折込み片部の展開状態では、第３折れ線の底面部側とは反対側の端部である第１端部（Ｃ６２−１）は、第１折れ線の底面部側とは反対側の端部と第２折れ線の底面図側とは反対側の端部を結ぶ仮想直線（Ｌ６２ａ）よりも底面部側にあり、第１内側片部と第１外側片部の間には、第３折れ線の第１端部を底面部側の端部とする切欠き（Ｋ６２）が形成され、第２折込み片部の展開状態では、第６折れ線の底面部側とは反対側の端部である第２端部（Ｃ７２−１）は、第４折れ線の底面部側とは反対側の端部と第５折れ線の底面図側とは反対側の端部を結ぶ仮想直線（Ｌ７２ａ）よりも底面部側にあり、第２内側片部と第２外側片部の間には、第６折れ線の第２端部を底面部側の端部とする切欠き（Ｋ７２）が形成されていることを特徴とする。
【００３１】
よって、第３折れ線の上端と第６折れ線の上端の位置を低くして、差込み片部の基端から先端までの長さが長くても第１折込み片部と第２折込み片部における隙間に差し込むことができる。
【００３２】
また、第８には、上記第１から第７までのいずれかの構成において、右開口部については、包装箱本体の仮想展開状態において、第１外側片部と右側面部の境界位置又は右側面部の第１外側片部側の端部領域に開口部が設けられることにより、右開口部が設けられているか、あるいは、包装箱本体の仮想展開状態において、第１外側片部と右側面部の境界位置に、第２折れ線に両側の端部分が接する第１切込み（Ｋ６１）が設けられて、第１外側片部が、該第１切込みに対応した辺部を有する第１突状部（６４−１）を有し、包装箱の組立て状態では、右側面部の第１外側片部側の端部領域に、第１切込みに対応した辺部を有する開口部により右開口部が設けられ、左開口部については、包装箱本体の仮想展開状態において、第２外側片部と左側面部の境界位置又は左側面部の第２外側片部側の端部領域に開口部が設けられることにより、左開口部が設けられているか、あるいは、包装箱本体の仮想展開状態において、第２外側片部と左側面部の境界位置に、第５折れ線に両側の端部分が接する第２切込み（Ｋ７１）が設けられて、第２外側片部が、該第２切込みに対応した辺部を有する第２突状部（７４−１）を有し、包装箱の組立て状態では、左側面部の第２外側片部側の端部領域に、第２切込みに対応した辺部を有する開口部により左開口部が設けられていることを特徴とする。
【００３３】
また、第９には、上記第１から第８までのいずれかの構成において、第１外側片部には、第２折れ線と第３折れ線の接点と、第１外側片部における辺部で第３折れ線の底面部側とは反対側の端部である第１端部（Ｃ６２−１）よりも上側の辺部における一方の端部から他方の端部までの途中位置である第９位置（Ｃ６４−１）との間に、第２折れ線と第３折れ線の接点と第９位置を結ぶ方向に直線状に折曲げ用の第１３罫線（Ｃ６４）が形成され、第２外側片部には、第５折れ線と第６折れ線の接点と、第２外側片部における辺部で第６折れ線の底面部側とは反対側の端部である第２端部（Ｃ７２−１）よりも上側の辺部における一方の端部から他方の端部までの途中位置である第１０位置（Ｃ７４−１）との間に、第５折れ線と第６折れ線の接点と第１０位置を結ぶ方向に直線状に折曲げ用の第１４罫線（Ｃ７４）が形成されていることを特徴とする。
【００３４】
よって、第１外側片部を第１３罫線を介して外側から見て山折りとし、第２外側片部を第１４罫線を介して外側から見て山折りとすることにより、第１外側片部と第１内側片部間の隙間を広くするとともに、第２外側片部と第２内側片部間の隙間を広くして、差込み片部を差し込みやすくすることができる。
【００３５】
なお、上記第９の構成において、第２折れ線と第１３罫線がなす角度と第３折れ線と第１３罫線がなす角度とが略同一に形成され、第５折れ線と第１４罫線がなす角度と第６折れ線と第１４罫線がなす角度とが略同一に形成されているものとしてもよい。これにより、隙間をより広くすることができる。
【発明の効果】
【００３６】
本発明に基づく包装箱によれば、差込み片部を第１外側片部と第１内側片部間の隙間と第２外側片部と第２内側片部間の隙間に差し込み、右係止部と右開口部が係合し、左係止部と左開口部が係合することにより、包装箱が閉状態でロックすることができ、また、差込み片部は、正面部の内側には差し込まれないので、不衛生となることがない。
【００３７】
また、包装箱が閉状態でロックされた状態から、差込み片部を蓋部に対して正面上側に回動させることにより、差込み片部が曲り変形して、右係止部と右開口部との係合が解除されるとともに左係止部と左開口部との係合が解除されるので、蓋部の開操作を容易とすることができる。
【図面の簡単な説明】
【００３８】
【図１】包装箱の前方斜視図である。
【図２】包装箱の後方斜視図である。
【図３】包装箱の右側面図である。
【図４】図３におけるＪの方向から視認した場合の要部斜視図である。
【図５】包装箱の展開図である。
【図６】図５の要部拡大図である。
【図７】図５の要部拡大図である。
【図８】図５の要部拡大図である。
【図９】包装箱を重ねた状態を示す前方斜視図である。
【図１０】包装箱を閉じる途中の状態を示す前方斜視図である。
【図１１】包装箱を閉じてロックした状態を示す前方斜視図である。
【図１２】包装箱を閉じてロックした状態を示す正面図である。
【図１３】包装箱を両手で持った状態を示す正面図である。
【図１４】包装箱を両手で持った状態を示す底面図である。
【図１５】包装箱を開ける操作方法を示す斜視図である。
【図１６】包装箱を開ける操作を行って包装箱を開けた状態を示す斜視図である。
【図１７】包装箱の他の例を示す要部展開図である。
【図１８】包装箱の他の例を示す後方斜視図である。
【図１９】包装箱の他の例を示す後方斜視図である。
【図２０】従来の紙容器を示す斜視図である。
【図２１】従来の包装箱を示す斜視図である。
【発明を実施するための形態】
【００３９】
本発明においては、ウォータータイト構造の包装箱で、相対する側面部における一方の側面部から連設された蓋部が他方の側面部までカバーする包装箱において、蓋部から連設された差込み片部が側面部の内側に差し込まれない構造とすることにより不衛生となることがなく、また、蓋部の開操作が容易となる包装箱を提供するという目的を以下のようにして実現した。
【００４０】
本発明に基づく包装箱１は、図１〜図８に示すように構成され、包装箱１は、包装箱本体５と、包装箱本体５から連設された蓋部１００と、蓋部１００から連設された差込み片部１１０とを有している。包装箱１は、全体に１枚のシート状のブランク（具体的には、段ボール製（例えば、薄型段ボール製）のブランクであり、厚紙製のブランク等の他の紙製のブランクでもよい）により形成されている。つまり、包装箱１は、段ボール材（特に、両面段ボール材）等の紙製の包装箱である。段ボールにおける断面略波形形状の中芯の段の方向は、図５における円内に示す方向となっていて、折れ線Ｃ１１、Ｃ１２、Ｃ３０、Ｃ４０と平行で、折れ線Ｃ１０、Ｃ１３、Ｃ２０、Ｃ５０と直角となっている（なお、段ボールにおける中芯の段の方向はこれには限られない）。
【００４１】
包装箱本体５は、底面部１０と、底面部１０から連設された正面部２０、右側面部３０、左側面部４０及び背面部５０と、正面部２０から連設されたフラップ部２２と、右側面部３０から連設されたフラップ部３２と、左側面部４０から連設されたフラップ部４２と、正面部２０と右側面部３０間に設けられた折込み片部６０と、正面部２０と左側面部４０間に設けられた折込み片部７０と、背面部５０と右側面部３０間に設けられた折込み片部８０と、背面部５０と左側面部４０間に設けられた折込み片部９０とを有している。なお、図５〜図８は、包装箱１の内側の面を表している。
【００４２】
底面部１０は、方形状を呈し、左右方向に形成された互いに平行な辺部（折れ線Ｃ１０に沿った辺部（第１辺部）１０ａと折れ線Ｃ１３に沿った辺部（第４辺部）１０ｄ）と、前後方向に形成された互いに平行な辺部（折れ線Ｃ１１に沿った辺部（第２辺部）１０ｂと折れ線Ｃ１２に沿った辺部（第３辺部）１０ｃ）とを有している。底面部１０は全体に略正方形状を呈しているが、厳密には、左右方向の辺部の長さが、前後方向の辺部の長さよりも長く形成された長方形状に形成されている。
【００４３】
この底面部１０には、折れ線Ｃ１４〜Ｃ１９が形成されている。折れ線Ｃ１４は、底面部１０の折れ線Ｃ１１よりも左側面側に辺部１０ｂ（第１対象辺部）（折れ線Ｃ１１としてもよい）に平行に直線状に形成され、辺部１０ａから辺部１０ｄまで形成され（折れ線Ｃ１４は、辺部１０ａと接点Ｔ１で接し、辺部１０ｄと接点Ｔ２で接している）、折れ線Ｃ１５は、底面部１０の折れ線Ｃ１２よりも右側面側に辺部１０ｃ（第２対象辺部）（折れ線Ｃ１２としてもよい）に平行に直線状に形成され、辺部１０ａから辺部１０ｄまで形成され（折れ線Ｃ１５は、辺部１０ａと接点Ｔ３で接し、辺部１０ｄと接点Ｔ４で接している）、折れ線Ｃ１４と折れ線Ｃ１１間の長さＬ１４と折れ線Ｃ１５と折れ線Ｃ１２間の長さＬ１５は同一（略同一としてもよい）に形成され、長さＬ１４、Ｌ１５は、図１４のように、蓋部１００を閉じた状態で、底面部１０の左右両側の端部付近に中指（人差し指でもよい）から小指の指先を接する状態とし、親指を蓋部１００の左右の両側の端部付近に接する状態で包装箱１を持った際に、中指から小指の指先が折れ線Ｃ１４、Ｃ１５に接する長さとなっている。具体的には、長さＬ１４、Ｌ１５は、折れ線Ｃ１４の位置を押さえた際に、折れ線Ｃ１１と折れ線Ｃ１４間の領域１２が右側面部３０に対して蓋部１００側に傾斜し、折れ線Ｃ１５の位置を押さえた際に、折れ線Ｃ１２と折れ線Ｃ１５間の領域１４が左側面部４０に対して蓋部１００側に傾斜して、底面部１０が蓋部１００側に凹むのに十分な長さを有し、より具体的には、中指の先端から第１関節までの長さよりも短い長さとなっている。
【００４４】
また、折れ線Ｃ１６（第９罫線）は、底面部１０の正面側で右側面側の角部（辺部１０ａと辺部１０ｂ間の角部（第１角部））から折れ線Ｃ１０、Ｃ１１に対して４５度（略４５度としてもよい）の角度で折れ線Ｃ１４まで形成されている。折れ線Ｃ１６は、折れ線Ｃ１４と接点Ｕ１（第５位置）で接している。また、折れ線Ｃ１７（第１０罫線）は、底面部１０の背面側で右側面側の角部（辺部１０ｄと辺部１０ｂ間の角部（第２角部））から折れ線Ｃ１３、Ｃ１１に対して４５度（略４５度としてもよい）の角度で折れ線Ｃ１４まで形成されている。折れ線Ｃ１７は、折れ線Ｃ１４と接点Ｕ２（第６位置）で接している。また、折れ線Ｃ１８（第１１罫線）は、底面部１０の正面側で左側面側の角部（辺部１０ａと辺部１０ｃ間の角部（第３角部））から折れ線Ｃ１０、Ｃ１２に対して４５度（略４５度としてもよい）の角度で折れ線Ｃ１５まで形成されている。折れ線Ｃ１８は、折れ線Ｃ１５と接点Ｕ３（第７位置）で接している。また、折れ線（第１２罫線）Ｃ１９は、底面部１０の背面側で左側面側の角部（辺部１０ｄと辺部１０ｃ間の角部（第４角部））から折れ線Ｃ１３、Ｃ１２に対して４５度（略４５度としてもよい）の角度で折れ線Ｃ１５まで形成されている。折れ線Ｃ１９は、折れ線Ｃ１５と接点Ｕ４（第８位置）で接している。
【００４５】
折れ線Ｃ１４〜Ｃ１９は、折曲げ用の罫線により形成され、具体的には、包装箱１の外側の面側から押圧した押罫とすることにより、折れ線Ｃ１４〜Ｃ１９が包装箱１の外側から見て谷折りとなりやすいようにしている。なお、折れ線Ｃ１４〜Ｃ１９を包装箱１の内側の面側から押圧した押罫としてもよい。
【００４６】
底面部１０においては、上記のように折れ線Ｃ１４〜Ｃ１９が形成されているので、図１３、図１４のように、包装箱１を持った際に、折れ線Ｃ１４における折れ線Ｃ１６と折れ線Ｃ１７間の部分（つまり、接点Ｕ１と接点Ｕ２間の部分）である折れ線（第７罫線）Ｃ１４−１と、折れ線Ｃ１６、Ｃ１７が外側から見て谷折りとなり、折れ線Ｃ１５における折れ線Ｃ１８と折れ線Ｃ１９間の部分（つまり、接点Ｕ３と接点Ｕ４間の部分）である折れ線（第８罫線）Ｃ１５−１と、折れ線Ｃ１８、Ｃ１９が外側から見て谷折りとなって、底面部１０が凹んだ状態となり、包装箱１を持ちやすくすることができる。
【００４７】
なお、接点Ｕ１は、折れ線Ｃ１４（折れ線Ｃ１４−１としてもよい）上の位置で辺部１０ａと辺部１０ｂと辺部１０ｃと辺部１０ｄからなる辺部群における辺部１０ｂ、１０ｃ以外の一対の辺部である隣接辺部群の一方である辺部１０ａ（第１隣接辺部）から間隔を介した位置にあり、接点Ｕ２は、折れ線Ｃ１４（折れ線Ｃ１４−１としてもよい）上の位置で隣接辺部群の他方である辺部１０ｄ（第２隣接辺部）から間隔を介した位置にあり、接点Ｕ３は、折れ線Ｃ１５（折れ線Ｃ１５−１としてもよい）上の位置で隣接辺部群の一方である辺部１０ａ（第１隣接辺部）から間隔を介した位置にあり、接点Ｕ４は、折れ線Ｃ１５（折れ線Ｃ１５−１としてもよい）上の位置で隣接辺部群の他方である辺部１０ｄ（第２隣接辺部）から間隔を介した位置にある。
【００４８】
また、正面部２０は、底面部１０の正面側の辺部から折れ線Ｃ１０を介して連設され、底面部１０から離れるに従い横方向の長さが長くなる台形形状（等脚台形形状）となっている。つまり、角度α２０と角度α２２は同一となっている。
【００４９】
また、フラップ部２２は、正面部２０の底面部１０とは反対側の辺部から折れ線Ｃ２０を介して連設され、正面部２０から離れるに従い横方向の長さが短くなる台形形状（等脚台形形状）となっており、折れ線Ｃ２０に沿った辺部と該辺部から連設された辺部（折れ線Ｃ２０の方向に対して傾斜した直線状の辺部）間の角度は４５度（略４５度としてもよい）となっている。
【００５０】
また、右側面部３０は、底面部１０の右側面側の辺部から折れ線Ｃ１１を介して連設され、底面部１０から離れるに従い横方向の長さが長くなる台形形状（等脚台形形状）となっている。つまり、角度α３０と角度α３２は同一となっている。また、角度α３０、α３２は、角度α２０、α２２と同一となっている。
【００５１】
また、フラップ部３２は、右側面部３０の底面部１０とは反対側の辺部から折れ線Ｃ３０を介して連設され、右側面部３０から離れるに従い横方向の長さが短くなる略台形形状となっている。つまり、フラップ部３２の正面側の直線状の辺部は、折れ線Ｃ３０に沿った辺部に対して４５度（略４５度としてもよい）に傾斜し、フラップ部３２の背面側の直線状の辺部は、折れ線Ｃ３０に沿った辺部に対して直角（略直角としてもよい）をなし、該背面側の直線状の辺部とフラップ部３２の先端側の直線状の辺部間には、略円弧状のアールが形成されている。
【００５２】
また、左側面部４０は、底面部１０の左側面側の辺部から折れ線Ｃ１２を介して連設され、包装箱１の展開状態において、右側面部３０と前後方向の中心線を介して左右線対称に形成されている。つまり、左側面部４０は、底面部１０から離れるに従い横方向の長さが長くなる台形形状（等脚台形形状）となっている。つまり、角度α４０と角度α４２は同一であり、角度α４０、α４２は、角度α２０、α２２と同一となっている。
【００５３】
また、フラップ部４２は、左側面部４０の底面部１０とは反対側の辺部から折れ線Ｃ４０を介して連設され、包装箱１の展開状態において、フラップ部３２と前後方向の中心線を介して左右線対称に形成されている。つまり、フラップ部４２は、左側面部４０から離れるに従い横方向の長さが短くなる略台形形状となっている。つまり、フラップ部４２の正面側の直線状の辺部は、折れ線Ｃ４０に沿った辺部に対して４５度（略４５度としてもよい）に傾斜し、フラップ部４２の背面側の直線状の辺部は、折れ線Ｃ４０に沿った辺部に対して直角（略直角としてもよい）をなし、該背面側の直線状の辺部とフラップ部４２の先端側の直線状の辺部間には、略円弧状のアールが形成されている。
【００５４】
また、背面部５０は、底面部１０の背面側の辺部から折れ線Ｃ１３を介して連設され、包装箱１の展開状態において、正面部２０と左右方向の中心線を介して前後線対称に形成されている。つまり、背面部５０は、底面部１０から離れるに従い横方向の長さが長くなる台形形状（等脚台形形状）となっていて、角度α５０と角度α５２は同一であり、角度α５０、α５２は、角度α２０、α２２と同一となっている。
【００５５】
また、折込み片部（第１折込み片部）６０は、正面部２０の右側面側の辺部から折れ線（第１折れ線）Ｃ２１を介して連設された内側片部６２と、右側面部３０の正面側の辺部から折れ線（第２折れ線）Ｃ３１を介して連設された外側片部６４とを有し、内側片部６２と外側片部６４は、直線状の折れ線（第３折れ線）Ｃ６２を介して連設されている。つまり、折込み片部６０は、折れ線Ｃ６２を介して、内側片部６２と外側片部６４に区画され、折れ線Ｃ６２を介して折れ線Ｃ２１側の領域が内側片部６２であり、折れ線Ｃ６２を介して折れ線Ｃ３１側の領域が外側片部６４である。折れ線Ｃ６２の下端は、折れ線Ｃ２１と折れ線Ｃ３１の接点Ｐ１（この接点Ｐ１は、折れ線Ｃ１０と折れ線Ｃ１１の接点の位置にある）に位置する。つまり、折れ線Ｃ６２は、底面部１０における辺部１０ａと辺部１０ｂの角部から形成されている。折れ線Ｃ２１と折れ線Ｃ６２間の角度α６２と折れ線Ｃ３１と折れ線Ｃ６２間の角度α６４は同一となっている。
【００５６】
ここで、内側片部（第１内側片部）６２は、折れ線Ｃ２１に沿った辺部と、折れ線Ｃ２１に沿った辺部の上端Ｐ２から連設された直線状の辺部６２ａと、辺部６２ａの端部から連設された円弧状（略円弧状としてもよい）の辺部６２ｂと、辺部６２ｂの端部から連設された直線状の辺部６２ｃと、辺部６２ｃの端部から連設され、折れ線Ｃ６２に沿った直線状の辺部とにより囲まれた形状を呈している。ここで、辺部６２ａは、包装箱１の展開状態において、折れ線Ｃ２１に沿った辺部の上端Ｐ２と折れ線Ｃ３１に沿った辺部の上端Ｐ３を結ぶ直線（仮想直線）Ｌ６２ａ上に形成され、辺部６２ａの延長線は、上端Ｐ３に接する。また、辺部６２ｂは、辺部６２ａの端部から折れ線Ｃ６２の上端側に向けてカーブして形成されている。折れ線Ｃ６２の延長線は、直線Ｌ６２ａと直角に交わる。なお、折れ線Ｃ２１は、包装箱１の外側から見て谷折りとなるので、包装箱１の外側の面側から押圧した押罫により形成されている。
【００５７】
また、外側片部（第１外側片部）６４は、折れ線Ｃ３１に沿った辺部と、折れ線Ｃ３１に沿った辺部の上端Ｐ３から連設された円弧状（略円弧状としてもよい）の辺部６４ａと、辺部６４ａの端部から連設された円弧状（略円弧状としてもよい）の辺部６４ｂと、辺部６４ｂの端部から連設された直線状の辺部６４ｃと、辺部６４ｃの端部から連設され、折れ線Ｃ６２に沿った直線状の辺部とにより囲まれた形状を呈している。ここで、折れ線Ｃ３１の上端から下端までの途中位置（具体的には、上端近くの位置）には折れ線Ｃ３１の方向に沿って細長の開口部Ｋ６０が設けられているので、外側片部６４における折れ線Ｃ３１に沿った辺部は、厳密には、折れ線Ｃ３１の下端から折れ線Ｃ３１に沿った直線状の第１構成辺部（右第１構成辺部）と、第１構成辺部の上端から連設され、開口部Ｋ６０に沿った第２構成辺部（右第２構成辺部）と、第２構成辺部の上端から連設され、折れ線Ｃ３１に沿った直線状の第３構成辺部（右第３構成辺部）により形成されているといえる。また、包装箱１の展開状態において、辺部６４ａの上端Ｐ３の位置における接線は折れ線Ｃ３０の方向であり、包装箱１の組立て状態（図１、図２の状態）の正面視において、辺部６４ａは、辺部６４ｂに向けて左側にカーブするように形成されている。辺部６４ｂも同様に折れ線Ｃ６２の上端に向けて左側にカーブするように形成されている。なお、辺部６４ａの円弧状の曲率は、辺部６４ｂの円弧状の曲率よりも大きく形成されている。
【００５８】
なお、包装箱１の展開状態において、外側片部６４は、上端Ｐ２と上端Ｐ３を結ぶ直線Ｌ６２ａよりも外側に突出して形成されており、包装箱１を組み立てた状態（すなわち、折込み片部６０を二つ折りにした状態）では、正面視において、外側片部６４は、内側片部６２の辺部６２ａ（つまり、内側片部６２の上端）よりも上方に突出して形成され、具体的には、包装箱１の展開状態において、外側片部６４の直線Ｌ６２ａよりも外側の領域である突出部６４Ａが、折込み片部６０の二つ折りの状態において内側片部６２よりも上方に突出する。このように、外側片部６４が内側片部６２よりも上方に突出しているので、差込み片部１１０を外側片部６４と内側片部６２間の隙間に差し込む際に、差込み片部１１０の先端が外側片部６４の突出部６４Ａの内側の面に接した状態で差込み片部１１０を差し込むことになり、差込み片部１１０が円滑に外側片部６４と内側片部６２間の隙間に差し込まれる。なお、差込み片部１１０は、蓋部１００に対して折り曲げた状態で折込み片部６０の隙間に差し込まれるが、差込み片部１１０は、蓋部１００に対して折り曲げた状態から復帰しようとするので、差込み片部１１０の先端は、外側片部６４の内側の面に接しやすい。
【００５９】
また、折込み片部６０の内側片部６２が正面部２０に接着された状態では、二つ折りにされた折込み片部６０はもとの平板状の状態に復帰しようとして、外側片部６４と内側片部６２間の隙間ＳＫが広く設けられるので、その点でも、差込み片部１１０を外側片部６４と内側片部６２間の隙間に差し込みやすいといえる。
【００６０】
また、外側片部６４には、折れ線（第１３罫線）Ｃ６４が形成されており、この折れ線Ｃ６４は、折れ線Ｃ３１と折れ線Ｃ６２の接点（この接点は、折れ線Ｃ２１と折れ線Ｃ３１の接点Ｐ１の位置にある）から直線状に形成され、折れ線Ｃ６４の他方の端部Ｃ６４−１は、辺部６４ａ（外側片部６４における折れ線Ｃ６２の底面部１０側とは反対側の端部である端部（第１端部）Ｃ６２−１よりも上側の辺部（つまり、辺部６４ａと辺部６４ｂと辺部６４ｃからなる辺部としてもよい）（外側片部６４における内側片部６２の上端よりも上方に突出した部分（図６における直線Ｌ６２ａよりも外側の部分）における辺部としてもよい））における一方の端部から他方の端部までの途中位置に位置する。該一方の端部は、端部Ｃ６２−１と上端Ｐ３の一方であり、該他方の端部は、端部Ｃ６２−１と上端Ｐ３の他方である。折れ線Ｃ６４と折れ線Ｃ６２間の角度α６５と折れ線Ｃ６４と折れ線Ｃ３１間の角度α６６と略同一（同一としてもよい）であるが、厳密には、角度α６５が角度α６６よりも大きく形成されている。折れ線Ｃ６４を介して、外側片部６４が外側から見てわずかに山折りに形成されて、外側片部６４と内側片部６２間の隙間を広くするようにしている。特に、角度α６５と角度α６６を略同一とすることにより、隙間を広くできる。なお、折れ線Ｃ６４は、包装箱１の内側の面側から押圧した押罫により形成されており、これにより外側片部６４を外側から見て山折りとしやすくしている。
【００６１】
また、外側片部６４と右側面部３０の境界位置には、該境界位置に沿って開口部（右開口部）Ｋ６０が形成され、該境界位置における上端に近い位置に開口部Ｋ６０が形成されている。つまり、折れ線Ｃ３１の位置（厳密には、折れ線Ｃ３１の延長線上の位置）に形成され、開口部Ｋ６０は、折れ線Ｃ３１の方向に沿って長穴状（帯状としてもよい）を呈し、開口部Ｋ６０の右側面側の辺部Ｋ６０ａと外側片部６４側の辺部Ｋ６０ｂとは、折れ線Ｃ３１の延長線（開口部Ｋ６０の位置を通る延長線）を挟んで両側に位置している。また、開口部Ｋ６０の上側と下側には折れ線Ｃ３１があり、折れ線Ｃ３１が開口部Ｋ６０よりも上側の折れ線Ｃ３１−１と開口部Ｋ６０よりも下側の折れ線Ｃ３１−２とから構成される（折れ線Ｃ３１−１と折れ線Ｃ３１−２は同一直線上にある）と考えると、開口部Ｋ６０は、折れ線Ｃ３１−１と折れ線Ｃ３１−２の間の位置にあるといえる。
【００６２】
包装箱１の組立て状態においては、この折込み片部６０は、折れ線Ｃ６２を介して折り曲げられて二つ折り（つまり、折り返された状態）とされ、内側片部６２が正面部２０の外側の面に接着されている。具体的には、内側片部６２の全面が正面部２０の外側の面に接着されている。
【００６３】
また、折込み片部（第２折込み片部）７０は、正面部２０の左側面側の辺部から折れ線（第４折れ線）Ｃ２２を介して連設された内側片部７２と、左側面部４０の正面側の辺部から折れ線（第５折れ線）Ｃ４１を介して連設された外側片部７４とを有し、内側片部７２と外側片部７４は、直線状の折れ線（第６折れ線）Ｃ７２を介して連設されている。つまり、折込み片部７０は、折れ線Ｃ７２を介して、内側片部７２と外側片部７４に区画され、折れ線Ｃ７２を介して折れ線Ｃ２２側の領域が内側片部６２であり、折れ線Ｃ７２を介して折れ線Ｃ４１側の領域が外側片部７４である。折れ線Ｃ７２の下端は、折れ線Ｃ２２と折れ線Ｃ４１の接点Ｑ１（この接点Ｑ１は、折れ線Ｃ１０と折れ線Ｃ１２の接点の位置にある）に位置する。つまり、折れ線Ｃ７２は、底面部１０における辺部１０ａと辺部１０ｃの角部から形成されている。折れ線Ｃ２２と折れ線Ｃ７２間の角度α７２と折れ線Ｃ４１と折れ線Ｃ７２間の角度α７４は同一となっている。
【００６４】
折込み片部７０は、包装箱１の展開状態において、折込み片部６０と前後方向の中心線を介して左右線対称に形成されていて、内側片部７２は、内側片部６２と線対称に形成されていて、内側片部７２を構成する各辺部は、内側片部６２における対応する辺部と線対称に形成され、また、外側片部７４は、外側片部６４と線対称に形成されていて、外側片部７４を構成する各辺部は、外側片部６４における対応する辺部と線対称に形成されている。
【００６５】
ここで、内側片部（第２内側片部）７２は、折れ線Ｃ２２に沿った辺部と、折れ線Ｃ２２に沿った辺部の上端Ｑ２から連設された直線状の辺部７２ａと、辺部７２ａの端部から連設された円弧状（略円弧状としてもよい）の辺部７２ｂと、辺部７２ｂの端部から連設された直線状の辺部７２ｃと、辺部７２ｃの端部から連設され、折れ線Ｃ７２に沿った直線状の辺部とにより囲まれた形状を呈している。ここで、辺部７２ａは、包装箱１の展開状態において、折れ線Ｃ２２に沿った辺部の上端Ｑ２と折れ線Ｃ４１に沿った辺部の上端Ｑ３を結ぶ直線（仮想直線）Ｌ７２ａ上に形成され、辺部７２ａの延長線は、上端Ｑ３に接する。また、辺部７２ｂは、辺部７２ａの端部から折れ線Ｃ７２の上端側に向けてカーブして形成されている。折れ線Ｃ７２の延長線は、直線Ｌ７２ａと直角に交わる。なお、折れ線Ｃ２２は、包装箱１の外側から見て谷折りとなるので、包装箱１の外側の面側から押圧した押罫により形成されている。
【００６６】
また、外側片部（第２外側片部）７４は、折れ線Ｃ４１に沿った辺部と、折れ線Ｃ４１に沿った辺部の上端Ｑ３から連設された円弧状（略円弧状としてもよい）の辺部７４ａと、辺部７４ａの端部から連設された円弧状（略円弧状としてもよい）の辺部７４ｂと、辺部７４ｂの端部から連設された直線状の辺部７４ｃと、辺部７４ｃの端部から連設され、折れ線Ｃ７２に沿った直線状の辺部とにより囲まれた形状を呈している。ここで、折れ線Ｃ４１の上端から下端までの途中位置（具体的には、上端近くの位置）には折れ線Ｃ４１の方向に沿って細長の開口部Ｋ７０が設けられているので、外側片部７４における折れ線Ｃ４１に沿った辺部は、厳密には、折れ線Ｃ４１の下端から折れ線Ｃ４１に沿った直線状の第１構成辺部（左第１構成辺部）と、第１構成辺部の上端から連設され、開口部Ｋ７０に沿った第２構成辺部（左第２構成辺部）と、第２構成辺部の上端から連設され、折れ線Ｃ４１に沿った直線状の第３構成辺部（左第３構成辺部）により形成されているといえる。また、包装箱１の展開状態において、辺部７４ａの上端Ｑ３の位置における接線は折れ線Ｃ４０の方向であり、包装箱１の組立て状態（図１の状態）の正面視において、辺部７４ａは、辺部７４ｂに向けて右側にカーブするように形成されている。辺部７４ｂも同様に折れ線Ｃ７２の上端に向けて右側にカーブするように形成されている。なお、辺部７４ａの円弧状の曲率は、辺部７４ｂの円弧状の曲率よりも大きく形成されている。
【００６７】
なお、包装箱１の展開状態において、外側片部７４は、上端Ｑ２と上端Ｑ３を結ぶ直線Ｌ７２ａよりも外側に突出して形成されており、包装箱１を組み立てた状態（すなわち、折込み片部７０を二つ折りにした状態）では、正面視において、外側片部７４は、内側片部７２の辺部７２ａ（つまり、内側片部７２の上端）よりも上方に突出して形成され、具体的には、包装箱１の展開状態において、外側片部７４の直線Ｌ７２ａよりも外側の領域である突出部７４Ａが、折込み片部７０の二つ折りの状態において内側片部７２よりも上方に突出する。このように、外側片部７４が内側片部７２よりも上方に突出しているので、差込み片部１１０を外側片部７４と内側片部７２間の隙間に差し込む際に、差込み片部１１０の先端が外側片部７４の突出部７４Ａの内側の面に接した状態で差込み片部１１０を差し込むことになり、差込み片部１１０が円滑に外側片部７４と内側片部７２間の隙間に差し込まれる。なお、差込み片部１１０は、蓋部１００に対して折り曲げた状態で折込み片部７０の隙間に差し込まれるが、差込み片部１１０は、蓋部１００に対して折り曲げた状態から復帰しようとするので、差込み片部１１０の先端は、外側片部７４の内側の面に接しやすい。
【００６８】
また、折込み片部７０の内側片部７２が正面部２０に接着された状態では、二つ折りにされた折込み片部７０はもとの平板状の状態に復帰しようとして、外側片部７４と内側片部７２間の隙間が広く設けられるので、その点でも、差込み片部１１０を外側片部７４と内側片部７２間の隙間に差し込みやすいといえる。なお、図４は、図３においてＪの方向から視認した場合の要部斜視図（特に、折込み片部６０を表した要部斜視図）であるが、Ｊの方向から視認した場合の要部斜視図で折込み片部７０を表した要部斜視図は、図４に対して左右対称に表れる。
【００６９】
また、外側片部７４には、折れ線（第１４罫線）Ｃ７４が形成されており、この折れ線Ｃ７４は、折れ線Ｃ４１と折れ線Ｃ７２の接点（この接点は、折れ線Ｃ２２と折れ線Ｃ４１の接点Ｑ１の位置にある）から直線状に形成され、折れ線Ｃ７４の他方の端部Ｃ７４−１は、辺部７４ａ（外側片部７４における折れ線Ｃ７２の底面部１０側とは反対側の端部である端部（第２端部）Ｃ７２−１よりも上側の辺部（つまり、辺部７４ａと辺部７４ｂと辺部７４ｃからなる辺部としてもよい）（外側片部７４における内側片部７２の上端よりも上方に突出した部分（図６における直線Ｌ７２ａよりも外側の部分）における辺部としてもよい））における一方の端部から他方の端部までの途中位置に位置する。該一方の端部は、端部Ｃ７２−１と上端Ｑ３の一方であり、該他方の端部は、端部Ｃ７２−１と上端Ｑ３の他方である。折れ線Ｃ７４と折れ線Ｃ７２間の角度α７５と折れ線Ｃ７４と折れ線Ｃ４１間の角度α７６と略同一（同一としてもよい）であるが、厳密には、角度α７５が角度α７６よりも大きく形成されている。折れ線Ｃ７４を介して、外側片部７４が外側から見てわずかに山折りに形成されて、外側片部７４と内側片部７２間の隙間を広くするようにしている。特に、角度α７５と角度α７６を略同一とすることにより、隙間を広くできる。なお、折れ線Ｃ７４は、包装箱１の内側の面側から押圧した押罫により形成されており、これにより外側片部７４を外側から見て山折りとしやすくしている。
【００７０】
また、外側片部７４と左側面部４０の境界位置には、該境界位置に沿って開口部（左開口部）Ｋ７０が形成され、該境界位置における上端に近い位置に開口部Ｋ７０が形成されている。つまり、折れ線Ｃ４１の位置（厳密には、折れ線Ｃ４１の延長線上の位置）に形成され、開口部Ｋ７０は、折れ線Ｃ４１の方向に沿って長穴状（帯状としてもよい）を呈し、開口部Ｋ７０の左側面側の辺部Ｋ７０ａと外側片部７４側の辺部Ｋ７０ｂとは、折れ線Ｃ４１の延長線（開口部Ｋ７０の位置を通る延長線）を挟んで両側に位置している。また、開口部Ｋ７０の上側と下側には折れ線Ｃ４１があり、折れ線Ｃ４１が開口部Ｋ７０よりも上側の折れ線Ｃ４１−１と開口部Ｋ７０よりも下側の折れ線Ｃ４１−２とから構成される（折れ線Ｃ４１−１と折れ線Ｃ４１−２は同一直線上にある）と考えると、開口部Ｋ７０は、折れ線Ｃ４１−１と折れ線Ｃ４１−２の間の位置にあるといえる。
【００７１】
包装箱１の組立て状態においては、この折込み片部７０は、折れ線Ｃ７２を介して折り曲げられて二つ折り（つまり、折り返された状態）とされ、内側片部７２が正面部２０の外側の面に接着されている。具体的には、内側片部７２の全面が正面部２０の外側の面に接着されている。
【００７２】
また、包装箱１の組立て状態において、折れ線Ｃ６２の上端（厳密には、折れ線Ｃ６２の上端位置に対応する正面部２０における位置）から正面部２０の上辺までの長さ（最短長さ）（正面部２０の正面側の面に沿った長さ）Ｌ２０は、差込み片部１１０の辺部１１０ｃ−１と折れ線Ｃ１００間の長さＬ１１０よりも長く形成され、折れ線Ｃ７２の上端（厳密には、折れ線Ｃ７２の上端位置に対応する正面部２０における位置）から正面部２０の上辺までの長さ（最短長さ）（正面部２０の正面側の面に沿った長さ）Ｌ２０は、差込み片部１１０の辺部１１０ｃ−１と折れ線Ｃ１００間の長さＬ１１０よりも長く形成されていて、差込み片部１１０を折込み片部６０における外側片部６４と内側片部６２間の隙間と折込み片部７０における外側片部７４と内側片部７２間の隙間に差し込み、差込み片部１１０を最下端まで差し込んだ場合でも、折れ線Ｃ６２、Ｃ７２の上端と差込み片部１１０の辺部１１０ｃ−１との間には、間隔Ｌ１５０が設けられる。
【００７３】
なお、折込み片部６０の展開状態において、折れ線Ｃ６２の底面部１０側とは反対側の端部である端部（第１端部）Ｃ６２−１は、直線Ｌ６２ａよりも底面部１０側にあり、内側片部６２と外側片部６４の間には、折れ線Ｃ６２の底面部１０側とは反対側の端部Ｃ６２−１を底面部１０側の端部とする切欠きＫ６２が形成され、また、折込み片部７０の展開状態において、折れ線Ｃ７２の底面部１０側とは反対側の端部である端部（第２端部）Ｃ７２−１は、直線Ｌ７２ａよりも底面部１０側にあり、内側片部７２と外側片部７４の間には、折れ線Ｃ７２の底面部１０側とは反対側の端部Ｃ７２−１を底面部１０側の端部とする切欠きＫ７２が形成されている。このように、切欠きＫ６２、Ｋ７２が形成されていることにより、折れ線Ｃ６２の上端（端部Ｃ６２−１）と折れ線Ｃ７２の上端（端部Ｃ７２−１）の位置を低くし、長さＬ２０を長く確保することができ、差込み片部１１０の基端から先端までの長さが長くても折込み片部６０、７０における隙間に差し込むことができる。
【００７４】
また、包装箱１の組立て状態においては、開口部Ｋ６０が外側片部６４と右側面部３０の境界位置に沿って形成され、開口部Ｋ７０が外側片部７４と左側面部４０の境界位置に沿って形成されているので、開口部Ｋ６０、Ｋ７０は、下方にいくほど内側となるように形成され、開口部Ｋ６０と開口部Ｋ７０間の横方向の距離は、下方にいくほど短くなる。
【００７５】
また、折込み片部（第３折込み片部）８０は、右側面部３０の背面側の辺部から折れ線（第８折れ線）Ｃ３２を介して連設された内側片部８２と、背面部５０の右側面側の辺部から折れ線（第７折れ線）Ｃ５１を介して連設された外側片部８４とを有し、内側片部８２と外側片部８４は、直線状の折れ線（第９折れ線）Ｃ８２を介して連設されている。つまり、折込み片部８０は、折れ線Ｃ８２を介して、内側片部８２と外側片部８４に区画され、折れ線Ｃ８２を介して折れ線Ｃ３２側の領域が内側片部８２であり、折れ線Ｃ８２を介して折れ線Ｃ５１側の領域が外側片部８４である。折れ線Ｃ８２の下端は、折れ線Ｃ５１と折れ線Ｃ３２の接点Ｒ１（この接点Ｒ１は、折れ線Ｃ１１と折れ線Ｃ１３の接点の位置にある）に位置する。つまり、折れ線Ｃ８２は、底面部１０における辺部１０ｄと辺部１０ｂの角部から形成されている。折れ線Ｃ３２と折れ線Ｃ８２間の角度α８２と折れ線Ｃ５１と折れ線Ｃ８２間の角度α８４は同一となっている。
【００７６】
ここで、内側片部（第２片部）８２は、折れ線Ｃ３２に沿った辺部と、折れ線Ｃ３２に沿った辺部の上端Ｒ３から連設された直線状の辺部８２ａと、辺部８２ａの端部から連設され、折れ線Ｃ８２に沿った辺部とにより囲まれた形状を呈している。辺部８２ａと折れ線Ｃ８２に沿った辺部は直角をなすので、内側片部８２は直角三角形である。なお、折れ線Ｃ３２は、包装箱１の外側から見て谷折りとなるので、包装箱１の外側の面側から押圧した押罫により形成されている。
【００７７】
また、外側片部（第１片部）８４は、折れ線Ｃ５１に沿った辺部と、折れ線Ｃ５１に沿った辺部の上端Ｒ２から連設された直線状の辺部８４ａと、辺部８４ａの端部から連設され、折れ線Ｃ８２に沿った辺部とにより囲まれた形状を呈している。辺部８４ａと折れ線Ｃ８２に沿った辺部は直角をなすので、外側片部８４は直角三角形である。包装箱１の展開状態において、辺部８２ａと辺部８４ａは同一直線状に形成されている。
【００７８】
包装箱１の組立て状態においては、この折込み片部８０は、折れ線Ｃ８２を介して折り曲げられて二つ折り（つまり、折り返された状態）とされ、内側片部８２が右側面部３０の外側の面に接着されている。具体的には、内側片部８２の全面が右側面部３０の外側の面に接着されている。
【００７９】
また、折込み片部（第４折込み片部）９０は、左側面部４０の背面側の辺部から折れ線（第１１折れ線）Ｃ４２を介して連設された内側片部９２と、背面部５０の左側面側の辺部から折れ線（第１０折れ線）Ｃ５２を介して連設された外側片部９４とを有し、内側片部９２と外側片部９４は、直線状の折れ線（第１２折れ線）Ｃ９２を介して連設されている。つまり、折込み片部９０は、折れ線Ｃ９２を介して、内側片部９２と外側片部９４に区画され、折れ線Ｃ９２を介して折れ線Ｃ４２側の領域が内側片部９２であり、折れ線Ｃ９２を介して折れ線Ｃ５２側の領域が外側片部９４である。折れ線Ｃ９２の下端は、折れ線Ｃ５２と折れ線Ｃ４２の接点Ｓ１（この接点Ｓ１は、折れ線Ｃ１２と折れ線Ｃ１３の接点の位置にある）に位置する。つまり、折れ線Ｃ９２は、底面部１０における辺部１０ｄと辺部１０ｃの角部から形成されている。折れ線Ｃ４２と折れ線Ｃ９２間の角度α９２と折れ線Ｃ５２と折れ線Ｃ９２間の角度α９４は同一となっている。
【００８０】
ここで、内側片部（第４片部）９２は、折れ線Ｃ４２に沿った辺部と、折れ線Ｃ４２に沿った辺部の上端Ｓ３から連設された直線状の辺部９２ａと、辺部９２ａの端部から連設され、折れ線Ｃ９２に沿った辺部とにより囲まれた形状を呈している。辺部９２ａと折れ線Ｃ９２に沿った辺部は直角をなすので、内側片部９２は直角三角形である。折れ線Ｃ４２は、包装箱１の外側から見て谷折りとなるので、包装箱１の外側の面側から押圧した押罫により形成されている。
【００８１】
また、外側片部（第３片部）９４は、折れ線Ｃ５２に沿った辺部と、折れ線Ｃ５２に沿った辺部の上端Ｓ２から連設された直線状の辺部９４ａと、辺部９４ａの端部から連設され、折れ線Ｃ９２に沿った辺部とにより囲まれた形状を呈している。辺部９４ａと折れ線Ｃ９２に沿った辺部は直角をなすので、外側片部９４は直角三角形である。包装箱１の展開状態において、辺部９２ａと辺部９４ａは同一直線状に形成されている。
【００８２】
包装箱１の組立て状態においては、この折込み片部９０は、折れ線Ｃ９２を介して折り曲げられて二つ折り（つまり、折り返された状態）とされ、内側片部９２が左側面部４０の外側の面に接着されている。具体的には、内側片部９２の全面が左側面部４０の外側の面に接着されている。
【００８３】
包装箱１の組立て状態においては、包装箱本体５における側面（つまり、正面部２０と右側面部３０と左側面部４０と背面部５０）は、下端から上端に向けて外側に傾斜して形成され、正面部２０と背面部５０間の間隔は上方に行くほど長く形成され、右側面部３０と左側面部４０間の間隔は上方に行くほど長く形成されている。つまり、包装箱本体５における側面は、テーパ状に形成されている。
【００８４】
包装箱本体５においては、折込み片部６０、７０、８０、９０が設けられていることにより、ウォータータイト構造となっている。
【００８５】
また、蓋部１００は、方形状を呈し、左右方向に対する直角方向形成された互いに平行な辺部１００ａ、１００ｂと、左右方向に形成された互いに平行な辺部（折れ線Ｃ５０に沿った辺部と折れ線Ｃ１００に沿った辺部）とを有している。底面部１０は全体に略正方形状を呈しているが、厳密には、左右方向の辺部の長さが、前後方向の辺部の長さよりも長く形成された長方形状に形成されている。
【００８６】
この蓋部１００の先端側の左右の角部には、折れ線Ｃ１０２、Ｃ１０４が形成されている。折れ線（第５罫線）Ｃ１０２は、辺部１００ａにおける差込み片部１１０側の端部から背面部５０側の端部までに途中位置（第３途中位置）である接点Ｗ３（具体的には、差込み片部１１０側の位置）と折れ線Ｃ１００に沿った辺部における右側面側の端部から左側面側の端部までの途中位置（第１途中位置）である接点Ｗ１（具体的には、右側面側の位置）の間に直線状に形成され（つまり、接点Ｗ３から接点Ｗ１まで直線状に形成されている）、折れ線Ｃ１０２と折れ線Ｃ１００とがなす角度（鋭角）は４５度（約４５度としてもよい）となっている。折れ線（第６罫線）Ｃ１０４は、辺部１００ｂにおける差込み片部１１０側の端部から背面部５０側の端部までに途中位置（第４途中位置）である接点Ｗ４（具体的には、差込み片部１１０側の位置）と折れ線Ｃ１００に沿った辺部における左側面側の端部から右側面側の端部までの途中位置（第２途中位置）である接点Ｗ２（具体的には、左側面側の位置）の間に直線状に形成され（つまり、接点Ｗ４から接点Ｗ２まで直線状に形成されている）、折れ線Ｃ１０４と折れ線Ｃ１００とがなす角度（鋭角）は４５度（約４５度としてもよい）となっている。つまり、折れ線Ｃ１０２は、蓋部１００の先端側の右側面側の角部に折れ線Ｃ１００及び辺部１００ａに対して傾斜して形成され、折れ線Ｃ１０４は、蓋部１００の先端側の左側面側の角部に折れ線Ｃ１００及び辺部１００ｂに対して傾斜して形成されている。折れ線Ｃ１０２は、辺部１００ａと接点Ｗ３で接し、折れ線Ｃ１０４は、辺部１００ｂと接点Ｗ４で接している。折れ線Ｃ１０２と折れ線Ｃ１０４は、蓋部１００の左右方向における中心線（折れ線Ｃ１００と直角をなす中心線）を介して左右線対称に形成されている。
【００８７】
蓋部１００には、折れ線Ｃ１０２と折れ線Ｃ１０４が形成されているので、蓋部１００は、蓋部１００における右側面側の辺部と折れ線Ｃ１００に沿った辺部と折れ線Ｃ１０２により囲まれた三角形状の領域である角部領域（第１角部領域）１０４と、蓋部１００における左側面側の辺部と折れ線Ｃ１００に沿った辺部と折れ線Ｃ１０４により囲まれた三角形状の領域である角部領域（第２角部領域）１０６と、蓋部１００における角部領域１０４、１０６以外の領域である蓋部本体１０２とに区画される。
【００８８】
また、差込み片部１１０は、蓋部１００の先端側（背面部５０側とは反対側）の辺部から折れ線Ｃ１００を介して連設され、差込み片部１１０は、蓋部１００から連設された差込み片部本体１１２と、差込み片部本体１１２の右側面側の端部から連設された係止部１１４と、差込み片部本体１１２の左側面側の端部から連設された係止部１１６とを有している。
【００８９】
ここで、差込み片部本体１１２は、折れ線Ｃ１００に沿った直線状の辺部と、該辺部の右側面側の端部から連設された直線状の辺部１１０ａと、該辺部の左側面側の端部から連設された直線状の辺部１１０ｂと、係止部１１４の辺部の端部（辺部１１０ａ側とは反対側の端部）と係止部１１６の辺部の端部（辺部１１０ｂ側とは反対側の端部）間に形成された辺部１１０ｃとを有している。辺部１１０ａと辺部１１０ｂとは、折れ線Ｃ１００に沿った辺部に対して傾斜して形成され、辺部１１０ａと辺部１１０ｂ間の長さは、差込み片部１１０の先端側にいくほど短くなるように形成されていて、辺部１１０ａと辺部１１０ｂとはテーパ状を呈している。辺部１１０ａと折れ線Ｃ１００間の角度α１１０は、折れ線Ｃ２０と折れ線Ｃ２１間の角度α２４と略同一（同一としてもよい）であり、辺部１１０ｂと折れ線Ｃ１００間の角度α１１２は、折れ線Ｃ２０と折れ線Ｃ２２間の角度α２６と略同一（同一としてもよい）である。また、辺部１１０ｃは、折れ線Ｃ１００と平行な辺部１１０ｃ−１と、辺部１１０ｃ−１の右側面側の端部から蓋部１００側に折曲した直線状の辺部１１０ｃ−２と、辺部１１０ｃ−１の左側面側の端部から蓋部１００側に折曲した直線状の辺部１１０ｃ−３とを有し、辺部１１０ｃ−２は係止部１１４の辺部に連設され、辺部１１０ｃ−３は係止部１１６の辺部に連設されている。
【００９０】
また、係止部（右係止部）１１４は、辺部１１０ａから連設され、折れ線Ｃ１００と平行な直線状の辺部１１４ａと、辺部１１４ａの端部から連設され、辺部１１０ａの方向と平行な直線状の辺部１１４ｂと、辺部１１４ｂの端部から連設され、辺部１１０ｃ−２の端部まで形成された略円弧状の（円弧状としてもよい）辺部１１４ｃとを有し、係止部１１４と差込み片部本体１１２の境界は、辺部１１０ａの延長線（図８では、一点鎖線で表されている）であるといえる。辺部１１４ｃは、辺部１１４ｂと辺部１１０ｃ−２の角部におけるアールを形成している。
【００９１】
また、係止部（左係止部）１１６は、辺部１１０ｂから連設され、折れ線Ｃ１００と平行な直線状の辺部１１６ａと、辺部１１６ａの端部から連設され、辺部１１０ｂの方向と平行な直線状の辺部１１６ｂと、辺部１１６ｂの端部から連設され、辺部１１０ｃ−３の端部まで形成された略円弧状の（円弧状としてもよい）辺部１１６ｃとを有し、係止部１１６と差込み片部本体１１２の境界は、辺部１１０ｂの延長線（図８では、一点鎖線で表されている）であるといえる。辺部１１６ｃは、辺部１１６ｂと辺部１１０ｃ−３の角部におけるアールを形成している。
【００９２】
差込み片部１１０の左右方向の長さは、差込み片部１１０を折込み片部６０における外側片部６４と内側片部６２間の隙間と折込み片部７０における外側片部７４と内側片部７２間の隙間に差し込むことができるとともに、差込み片部１１０を最下端まで差し込んだ状態では、係止部１１４が開口部Ｋ６０から外部に突出して係止部１１４が開口部Ｋ６０に係止するとともに、係止部１１６が開口部Ｋ７０から外部に突出して係止部１１６が開口部Ｋ７０に係止する。なお、差込み片部１１０を最下端まで差し込んだ状態では、フラップ部２２が蓋部１００の下面に沿って蓋部１００の下面に接した状態となり、係止部１１４が開口部Ｋ６０に係止した状態では、具体的には、係止部１１４の辺部１１４ａと開口部Ｋ６０の上端が係合し、係止部１１６が開口部Ｋ７０に係止した状態では、具体的には、係止部１１６の辺部１１６ａと開口部Ｋ７０の上端とが係合する。
【００９３】
また、差込み片部１１０には、折れ線Ｃ１１２、Ｃ１１３、Ｃ１１４、Ｃ１１５が設けられている。折れ線（第１罫線）Ｃ１１２は、折れ線Ｃ１００と折れ線Ｃ１０２の接点Ｗ１から辺部１１０ｃまで左右方向で内側に向けて（つまり、折れ線Ｃ１００に対する直角方向に対して傾斜して）直線状に形成され、折れ線（第３罫線）Ｃ１１３は、接点Ｗ１から折れ線Ｃ１００に対して直角方向に辺部１１０ｃまで直線状に形成され、折れ線（第２罫線）Ｃ１１４は、折れ線Ｃ１００と折れ線Ｃ１０４の接点Ｗ２から辺部１１０ｃまで左右方向で内側に向けて（つまり、折れ線Ｃ１００に対する直角方向に対して傾斜して）直線状に形成され、折れ線（第４罫線）Ｃ１１５は、接点Ｗ２から折れ線Ｃ１００に対して直角方向に辺部１１０ｃまで直線状に形成されている。折れ線Ｃ１１２と折れ線Ｃ１１４は、差込み片部１１０の左右方向における中心線（折れ線Ｃ１００と直角をなす中心線）を介して左右線対称に形成されている。
【００９４】
折れ線Ｃ１１２は、辺部１１０ｃと接点（第１位置）Ｖ１において接し、折れ線Ｃ１１３は、辺部１１０ｃと接点（第３位置）Ｖ３において接し、折れ線Ｃ１１４は、辺部１１０ｃと接点（第２位置）Ｖ２において接し、折れ線Ｃ１１５は、辺部１１０ｃと接点（第４位置）Ｖ４において接している。
【００９５】
包装箱１の展開状態において、折れ線Ｃ１１２は、折れ線Ｃ１０２の延長線上に形成され（つまり、折れ線Ｃ１１２と折れ線Ｃ１０２とは、全体に１本の直線状の折れ線を形成している）、折れ線Ｃ１１４は、折れ線Ｃ１０４の延長線上に形成されている（つまり、折れ線Ｃ１１４と折れ線Ｃ１０４とは、全体に１本の直線状の折れ線を形成している）。
【００９６】
差込み片部本体１１２に折れ線Ｃ１１２〜Ｃ１１５が設けられることにより、差込み片部本体１１２は、折れ線Ｃ１１２と折れ線Ｃ１１４間の中央領域１１２−１と、折れ線Ｃ１１２と折れ線Ｃ１１３間の中間領域（第１中間領域）１１２−２と、折れ線Ｃ１１４と折れ線Ｃ１１５間の中間領域（第２中間領域）１１２−３と、折れ線Ｃ１１３よりも右側面側の端部領域１１２−４（第１端部領域）と、折れ線Ｃ１１５よりも左側面側の端部領域（第２端部領域）１１２−５とに区画されている。
【００９７】
なお、折れ線Ｃ１１２、Ｃ１１４の形成位置については、図１２に示すように、差込み片部１１０を折込み片部６０、７０に差し込んで係止部１１４、１１６を開口部Ｋ６０、Ｋ７０に係止させることにより包装箱１（蓋部１００としてもよい）を閉状態でロックした際に、正面視において、折れ線Ｃ１１２、Ｃ１１４が折込み片部６０、７０により隠れずに折れ線Ｃ１１２、Ｃ１１４の全体を視認できる位置に折れ線Ｃ１１２、Ｃ１１４が形成され（つまり、折れ線Ｃ１１２の正面側に折込み片部６０が存在せず、折れ線Ｃ１１４の正面側に折込み片部７０が存在しない）、これにより、蓋部１１０を開ける際に、中央領域１１２−１を正面側に引くことにより、折れ線Ｃ１１２が包装箱１の外側からみて山折りとなるのに折込み片部６０が邪魔となることがなく、折れ線Ｃ１１４が包装箱１の外側からみて山折りとなるのに折込み片部７０が邪魔になることがない。
【００９８】
折れ線Ｃ１１３、Ｃ１１５は、図１２に示すように、その上端部分を除いて、折込み片部６０、７０の背面側に位置しているが、蓋部１１０を開ける際に、中央領域１１２−１を正面側に引くことにより、折れ線Ｃ１１２、Ｃ１１４が外側から山折りとなり、折れ線Ｃ１１３、Ｃ１１５が外側から谷折りとなって、中間領域１１２−２が折れ線Ｃ１１３を回動中心として正面側に回動し、中間領域１１２−３が折れ線Ｃ１１５を回動中心として正面側に回動し、中間領域１１２−２が正面側に回動する際に、外側片部６４を正面側に押して外側片部６４と内側片部６２間の隙間を広げるので、差込み片部１１０（特に、端部領域１１２−４及び係止部１１４）を外側片部６４と内側片部６２間の隙間から抜けやすくし、中間領域１１２−３が正面側に回動する際に、外側片部７４を正面側に押して外側片部７４と内側片部７２間の隙間を広げるので、差込み片部１１０（特に、端部領域１１２−５及び係止部１１６）を外側片部７４と内側片部７２間の隙間から抜けやすくしている。
【００９９】
なお、包装箱１を使用する前の状態（これを初期状態とする）においては、図１〜図３に示すように、折れ線Ｃ５０と、折れ線Ｃ１００と、折れ線Ｃ１０２と、折れ線Ｃ１０４と、折れ線Ｃ１１２〜Ｃ１１５を介して折曲されておらず、背面部５０と蓋部１００と差込み片部１１０は、全体に１枚の平板状を呈している。つまり、初期状態では、蓋部１００は包装箱本体５に対して開いた状態となっている。
【０１００】
また、包装箱１の初期状態では、図１〜図３に示すように、折れ線Ｃ２０、Ｃ３０、Ｃ４０を介して折曲されておらず、正面部２０とフラップ部２２は全体に１枚の平板状を呈し、右側面部３０とフラップ部３２は全体に１枚の平板状を呈し、左側面部４０とフラップ部４２は全体に１枚の平板状を呈している。
【０１０１】
さらに、包装箱１の初期状態では、底面部１０は折れ線Ｃ１４〜Ｃ１９を介して折曲されておらず、底面部１０は全体に１枚の平板状を呈している。
【０１０２】
なお、折れ線Ｃ１０２、Ｃ１０４、Ｃ１１２、Ｃ１１３、Ｃ１１４、Ｃ１１５は、折曲げ用の罫線により形成され、具体的には、包装箱１の内側の面側から押圧した押罫により形成されている。
【０１０３】
包装箱１における各折れ線には折れ線に沿って罫線が形成されているが、上記のように、折れ線Ｃ１４〜Ｃ１９、Ｃ２１、Ｃ２２、Ｃ３２、Ｃ４２は、包装箱１の外側の面側から押圧した押罫により形成され、折れ線Ｃ１４〜Ｃ１９、Ｃ２１、Ｃ２２、Ｃ３２、Ｃ４２以外の折れ線は、包装箱１の内側の面側から押圧した押罫により形成されている。
【０１０４】
なお、包装箱１は、その展開状態において、前後方向の中心線を介して左右線対称に形成されている。
【０１０５】
次に、包装箱１の使用方法について説明する。包装箱１においては、包装箱本体５の側面がテーパ状に形成されていて、初期状態では、背面部５０と蓋部１００と差込み片部１１０が全体に１枚の平板状を呈するので、図９に示すように、複数の包装箱１を重ねた状態とすることができ、包装箱１の保管や運搬に際して、省スペースを図ることができる。
【０１０６】
包装箱１の初期状態から包装箱１を閉状態にしてロックするには、まず、図１０に示すように、フラップ部２２、３２，４２を内側に折り曲げる。つまり、フラップ部２２を正面部２０に対して内側に折り曲げ、フラップ部３２を右側面部３０に対して内側に折り曲げ、フラップ部４２を左側面部４０に対して内側に折り曲げる。
【０１０７】
その後、差込み片部１１０を折れ線Ｃ１００を介して蓋部１００に対して内側に折り曲げて、蓋部１００を折れ線Ｃ５０を介して背面部５０に対して内側に折り曲げ、差込み片部１１０を折込み片部６０における外側片部６４と内側片部６２間の隙間と折込み片部７０における外側片部７４と内側片部７２間の隙間に差し込む。その際、上記のように、外側片部６４、７４が内側片部６２、７２よりも上方に突出しており、また、差込み片部１１０が蓋部１００に対して折り曲げた状態から復帰しようとして外側片部６４、７４の内側の面に接しやすいので、差込み片部１１０を外側片部６４と内側片部６２間の隙間及び外側片部７４と内側片部７２間の隙間に円滑に差し込むことができ、また、上記のように、二つ折りにされた折込み片部６０、７０においては、外側片部６４と内側片部６２間の隙間及び外側片部７４と内側片部７２間の隙間が広く設けられるので、その点でも、差込み片部１１０を該隙間に差し込みやすい。
【０１０８】
この点、図２０に示す紙容器の場合には、側板１２と側板１３から連設されたフラップの間の隙間が狭い場合には、差し込み片１７を側板１２の内側に差し込みにくいという問題がある。
【０１０９】
そして、差込み片部１１０を下方に移動させていき、係止部１１４、１１６の下端が開口部Ｋ６０、Ｋ７０の上端位置に到達してからさらに下方に移動させると、開口部Ｋ６０は外側片部６４と内側片部６２の境界位置に外側片部６４と内側片部６２間の折れ線の方向に長穴状に形成され、開口部Ｋ７０は外側片部７４と内側片部７２の境界位置に外側片部７４と内側片部７２間の折れ線の方向に長穴状に形成されていて、開口部Ｋ６０、Ｋ７０は、下方にいくほど内側となるように形成されているので、係止部１１４が開口部Ｋ６０内に容易に入り込むとともに、係止部１１６が開口部Ｋ７０内に容易に入り込んでいく（つまり、係止部１１４、１１６と開口部Ｋ６０、Ｋ７０を容易に係合させることができる）。その後、差込み片部１１０を最下端まで下方へ移動させると、係止部１１４の上端（つまり、辺部１１４ａ）が開口部Ｋ６０に入り込み、辺部１１４ａが開口部Ｋ６０の上端と係合し、係止部１１６の上端（つまり、辺部１１６ａ）が開口部Ｋ７０に入り込み、図１１、図１２に示す状態となって、辺部１１６ａが開口部Ｋ７０の上端と係合して、包装箱１が閉状態でロックされる。
【０１１０】
次に、包装箱１が閉状態でロックされた状態の包装箱１を手で持つ際には、底面部１０に折れ線Ｃ１４〜Ｃ１９が形成されているので、図１３、図１４に示すように、蓋部１００に親指が接し、底面部１０に中指から小指の指先が接する状態で包装箱１を持ち、その際、一方の手の中指と薬指と小指で折れ線Ｃ１４の箇所を押え、他方の手の中指と薬指と小指で折れ線Ｃ１５の箇所を押えることにより、折れ線Ｃ１４−１、Ｃ１６、Ｃ１７と折れ線Ｃ１５−１、Ｃ１８、Ｃ１９が谷折りとなって、底面部１０が凹んだ状態となり（つまり、折れ線Ｃ１４−１、Ｃ１６、Ｃ１７を介して底面部１０の辺部１０ｂ（第１対象辺部）側が湾曲し、折れ線Ｃ１５−１、Ｃ１８、Ｃ１９を介して底面部１０の辺部１０ｃ（第２対象辺部）側が湾曲する）、包装箱１を持ちやすくすることができる。
【０１１１】
なお、折れ線Ｃ１４と折れ線Ｃ１５は、折れ線Ｃ１０からＣ１３まで形成されているとしたが、折れ線Ｃ１４−１、Ｃ１６、Ｃ１７と折れ線Ｃ１５−１、Ｃ１８、Ｃ１９が谷折りとなれば、底面部１０が凹んだ状態となるので、折れ線Ｃ１４における折れ線Ｃ１４−１以外の部分（つまり、折れ線Ｃ１４と折れ線Ｃ１６の接点から折れ線Ｃ１０までの部分及び折れ線Ｃ１４と折れ線Ｃ１７の接点から折れ線Ｃ１３までの部分）を省略してもよく、また、折れ線Ｃ１５における折れ線Ｃ１５−１以外の部分（つまり、折れ線Ｃ１５と折れ線Ｃ１８の接点から折れ線Ｃ１０までの部分及び折れ線Ｃ１５と折れ線Ｃ１９の接点から折れ線Ｃ１３までの部分）を省略してもよい。
【０１１２】
また、係止部１１４と開口部Ｋ６０が係合するとともに、係止部１１６と開口部Ｋ７０が係合することにより包装箱１が閉状態でロックされるので、蓋部１００が不用意に開いてしまうことがない。この点、図２０に示す紙容器の場合には、側板１２と側板１３から連設されたフラップの間の隙間が広い場合には、差し込み片１７が容易に側板１２の内側に差し込まれた状態から抜けてしまうおそれがある。
【０１１３】
次に、包装箱１が閉状態でロックされた状態から蓋部１００を開状態にするには、中央領域１１２−１を正面上側に回動させることにより、係止部１１４と開口部Ｋ６０の係合及び係止部１１６と開口部Ｋ７０の係合を解除させ、その後、蓋部１００を包装箱本体５に対して開いた状態とすることにより、蓋部１００が開状態となる。
【０１１４】
すなわち、図１５に示すように、中央領域１１２−１の下端に一方の手の親指を掛止するとともに該一方の手の他の指における少なくともいずれかの指が蓋部１００に接する状態で、親指を正面上側に引いて中央領域１１２−１を蓋部１００に対して回動させる。
【０１１５】
すると、中間領域１１２−２は、中央領域１１２−１に対して折れ線Ｃ１１２を介して回動するとともに、端部領域１１２−４に対して折れ線Ｃ１１３を介して回動し、中間領域１１２−２がこのように回動することにより、端部領域１１２−４が、接点Ｗ１を中心にして正面視で右回転し、係止部１１４が開口部Ｋ６０から抜けて、係止部１１４と開口部Ｋ６０の係合が解除される。
【０１１６】
つまり、中間領域１１２−２が折れ線Ｃ１１２を中心に回動すると、折れ線Ｃ１１３が、接点Ｗ１を中心として、折れ線Ｃ１１３の下端が左側面側となるように傾こうとし（つまり、端部領域１１２−４が、その右側面側が下方となるように傾こうとする）、その際、蓋部１００の角部領域１０４が折れ線Ｃ１０２を介して蓋部本体１０２に対して下方に折れ曲がるので、角部領域１０４が折れ曲がるとともに、端部領域１１２−４がその右側面側が下方となるように傾く。すると、端部領域１１２−４が傾くことにより、係止部１１４の辺部１１４ａが傾く（辺部１１４ａの辺部１１４ｂ側が下方となるように傾く）ので、辺部１１４ａの開口部Ｋ６０の上端との係合が解除しやすくなり、係止部１１４が開口部Ｋ６０から抜けやすくなり、その際、端部領域１１２−４が接点Ｗ１を中心に右回転するので、係止部１１４が開口部Ｋ６０から抜ける。端部領域１１２−４が右回転する際に、角部領域１０４が蓋部本体１０２に対して折れ曲がることにより折れ線Ｃ１０２が上昇して接点Ｗ１も上昇するので、係止部１１４が開口部Ｋ６０から抜けやすい。なお、辺部１１４ａの開口部Ｋ６０の上端との係合が解除しやすくなるので、係止部１１４と開口部Ｋ６０との係合を解除した際に、係止部１１４の辺部１１４ａが破損するおそれを防ぐことができる。
【０１１７】
係止部１１６についても上記と同様であり、中央領域１１２−１を蓋部１００に対して回動させることにより、中間領域１１２−３は、中央領域１１２−１に対して折れ線Ｃ１１４を介して回動するとともに、端部領域１１２−５に対して折れ線Ｃ１１５を介して回動し、中間領域１１２−３がこのように回動することにより、端部領域１１２−５が、接点Ｗ２を中心にして正面視で左回転し、係止部１１６が開口部Ｋ７０から抜けて、係止部１１６と開口部Ｋ７０の係合が解除される。
【０１１８】
つまり、中間領域１１２−３が折れ線Ｃ１１４を中心に回動すると、折れ線Ｃ１１５が、接点Ｗ２を中心として、折れ線Ｃ１１５の下端が右側面側となるように傾こうとし（つまり、端部領域１１２−５が、その左側面側が下方となるように傾こうとする）、その際、蓋部１００の角部領域１０６が折れ線Ｃ１０４を介して蓋部本体１０２に対して下方に折れ曲がるので、角部領域１０６が折れ曲がるとともに、端部領域１１２−５がその右側面側が下方となるように傾く。すると、端部領域１１２−５が傾くことにより、係止部１１６の辺部１１６ａが傾く（辺部１１６ａの辺部１１６ｂ側が下方となるように傾く）ので、辺部１１６ａの開口部Ｋ７０の上端との係合が解除しやすくなり、係止部１１６が開口部Ｋ７０から抜けやすくなり、その際、端部領域１１２−５が接点Ｗ２を中心に左回転するので、係止部１１６が開口部Ｋ７０から抜ける。端部領域１１２−５が左回転する際に、角部領域１０６が蓋部本体１０２に対して折れ曲がることにより折れ線Ｃ１０４が上昇して接点Ｗ２も上昇するので、係止部１１６が開口部Ｋ７０から抜けやすい。なお、辺部１１６ａの開口部Ｋ７０の上端との係合が解除しやすくなるので、係止部１１６と開口部Ｋ７０との係合を解除した際に、係止部１１６の辺部１１６ａが破損するおそれを防ぐことができる。
【０１１９】
係止部１１４と開口部Ｋ６０の係合及び係止部１１６と開口部Ｋ７０の係合を解除されたら、その後は、蓋部１００を包装箱本体５に対して開いた状態とすることにより、図１６に示すように、蓋部１００が開状態となる。
【０１２０】
以上のように、包装箱１によれば、包装箱１が閉状態でロックされた際には、差込み片部１１０は正面部２０の内側には差し込まれないので、差込み片部１１０が被収納物に接するおそれがなく、不衛生になることがない。
【０１２１】
また、差込み片部１１０を折込み片部６０、７０における隙間に差し込んで、係止部１１４を開口部Ｋ６０に係止させるとともに、係止部１１６を開口部Ｋ７０に係止させることにより、包装箱１を閉状態でロックすることができる。
【０１２２】
また、蓋部１００を開ける場合には、中央領域１１２−１を正面側に回動させるのみで蓋部１００を開状態にできるので、蓋部の開操作が容易であり、また、包装箱本体５の内側に指を入れる必要がないので、衛生的である。
【０１２３】
なお、折込み片部８０は、右側面部３０に接着され、折込み片部９０は、左側面部４０に接着されているとして説明したが、折込み片部８０を二つ折りにした状態で、外側片部（第１片部）８４が背面部５０に接着され、折込み片部９０を二つ折りにした状態で、外側片部（第３片部）９４が背面部５０に接着された構成としてもよい。
【０１２４】
また、開口部Ｋ６０は、外側片部６４と右側面部３０の境界位置に設けられているとしたが、右側面部３０の外側片部６４側の端部領域に設けられていてもよく、また、開口部Ｋ７０は、外側片部７４と左側面部４０の境界位置に設けられているとしたが、左側面部４０の外側片部７４側の端部領域に設けられていてもよい。例えば、開口部Ｋ６０の外側片部６４側の辺部Ｋ６０ｂが、折れ線Ｃ３１の延長線上にあるようにし、開口部Ｋ７０の外側片部７４側の辺部Ｋ７０ｂが、折れ線Ｃ４１の延長線上にあるようにしてもよい。
【０１２５】
また、上記の説明では、包装箱本体５の展開状態で、外側片部６４と右側面部３０の境界位置に開口部Ｋ６０が設けられ、外側片部７４と左側面部４０の境界位置に開口部Ｋ７０が設けられいて、包装箱１を組み立てた状態で、係止部１１４が開口部Ｋ６０と係合し、係止部１１６が開口部Ｋ７０と係合するとして説明したが、図１７に示すように、包装箱本体５の展開状態で、外側片部６４と右側面部３０の境界位置に略コ字状の切込み（第１切込み）Ｋ６１が設けられ、この切込みＫ６１が設けられることにより、包装箱１の組立て状態において、右側面部３０の外側片部６４側の端部領域に開口部Ｋ６０が形成されるとともに、包装箱本体５の展開状態で、外側片部７４と左側面部４０の境界位置に略コ字状の切込み（第２切込み）Ｋ７１が設けられ、この切込みＫ７１が設けられることにより、包装箱１の組立て状態において、左側面部４０の外側片部７４側の端部領域に開口部Ｋ７０が形成される構成としてもよい。なお、図１７に示す構成は、上記の点以外は、図６に示す構成と同様であり、図１７において、折れ線Ｃ３１は、折れ線Ｃ３１−１と折れ線Ｃ３１−２とから構成され（折れ線Ｃ３１−１と折れ線Ｃ３１−２は同一直線上にある）、折れ線Ｃ４１は、折れ線Ｃ４１−１と折れ線Ｃ４１−２とから構成されている（折れ線Ｃ４１−１と折れ線Ｃ４１−２は同一直線上にある）。
【０１２６】
すなわち、切込みＫ６１は、折れ線Ｃ３１−１の下端に接し、折れ線Ｃ３１−１と直角（略直角としてもよい）の方向に形成された直線状の切込みＫ６１ａと、切込みＫ６１ａの端部から連設された円弧状（略円弧状としてもよい）の切込みＫ６１ｂと、切込みＫ６１ｂの端部から連設され、折れ線Ｃ３１の方向と平行に形成された直線状の切込みＫ６１ｃと、切込みＫ６１ｃの端部から連設された円弧状（略円弧状としてもよい）の切込みＫ６１ｄと、切込みＫ６１ｄの端部から連設され、折れ線Ｃ３１−２の上端に接し、折れ線Ｃ３１−２と直角（略直角としてもよい）の方向に形成された直線状の切込みＫ６１ｅとを有し、切込みＫ６１は、全体に略コ字状を呈している。切込みＫ６１ｂは、切込みＫ６１ａと切込みＫ６１ｃ間のアールを構成し、切込みＫ６１ｄは、切込みＫ６１ｃと切込みＫ６１ｅ間のアールを構成する。折れ線Ｃ３１−１は、切込みＫ６１ａの一方の端部から他方の端部までの途中位置に接し、折れ線Ｃ３１−２は、切込みＫ６１ｅの一方の端部から他方の端部までの途中位置に接している。切込みＫ６１は、切込みＫ６１ｃと直角方向をなす中心線（切込みＫ６１ｃの方向における中心線）を介して線対称（略線対称としてもよい）に形成されている。切込みＫ６１は、切込みＫ６１ａの一部（折れ線Ｃ３１−１よりも外側片部６４側の部分）及び切込みＫ６１ｅの一部（折れ線Ｃ３１−２よりも外側片部６４側の部分）を除き、折れ線Ｃ３１の延長線（例えば、折れ線Ｃ３１−２の折れ線Ｃ３１−１側への延長線）よりも右側面部３０側に形成されている。これにより、外側片部６４は、折れ線Ｃ３１の延長線から突出した突状部６４−１を有している。つまり、包装箱本体５の展開状態において、外側片部６４と右側面部３０の境界位置に切込みＫ６１を形成し、切込みＫ６１の両側の端部分（つまり、切込みＫ６１ａと切込みＫ６１ｅ）が折れ線Ｃ３１に接し、外側片部６４が、折れ線Ｃ３１から突出した突状部６４−１（切込みＫ６１に対応した辺部（切込みＫ６１に沿った辺部としてもよい）を有する突状部（第１突状部）６４−１）を有している。このように、切込みＫ６１により、包装箱１の組立て状態では、外側片部６４が右側面部３０に対して折曲されているので、右側面部３０の外側片部６４側の端部領域に開口部Ｋ６０（突状部６４−１に対応した開口部で、切込みＫ６１に対応した辺部（切込みＫ６１に沿った辺部としてもよい）を有する開口部）が形成され（図１８参照）、包装箱１を閉状態でロックした際には、係止部１１４と開口部Ｋ６０が係合する。なお、図１７に示す構成の場合でも、包装箱１の組立て状態では、開口部Ｋ６０自体は、折れ線Ｃ３１の方向に長穴状を呈するといえる。
【０１２７】
なお、折れ線Ｃ３１−１は、切込みＫ６１ａの一方の端部から他方の端部までの途中位置に接しているとしたが、切込みＫ６１ａの端部（切込みＫ６１ｂとは反対側の端部）が折れ線Ｃ３１−１に接するようにしてもよく、また、折れ線Ｃ３１−２は、切込みＫ６１ｅの一方の端部から他方の端部までの途中位置に接しているとしたが、切込みＫ６１ｅの端部（切込みＫ６１ｄとは反対側の端部）が折れ線Ｃ３１−２に接するようにしてもよい。
【０１２８】
同様に、切込みＫ７１は、折れ線Ｃ４１−１の下端に接し、折れ線Ｃ４１−１と直角（略直角としてもよい）の方向に形成された直線状の切込みＫ７１ａと、切込みＫ７１ａの端部から連設された円弧状（略円弧状としてもよい）の切込みＫ７１ｂと、切込みＫ７１ｂの端部から連設され、折れ線Ｃ４１の方向と平行に形成された直線状の切込みＫ７１ｃと、切込みＫ７１ｃの端部から連設された円弧状（略円弧状としてもよい）の切込みＫ７１ｄと、切込みＫ７１ｄの端部から連設され、折れ線Ｃ４１−２の上端に接し、折れ線Ｃ４１−２と直角（略直角としてもよい）の方向に形成された直線状の切込みＫ７１ｅとを有し、切込みＫ７１は、全体に略コ字状を呈している。切込みＫ７１ｂは、切込みＫ７１ａと切込みＫ７１ｃ間のアールを構成し、切込みＫ７１ｄは、切込みＫ７１ｃと切込みＫ７１ｅ間のアールを構成する。折れ線Ｃ４１−１は、切込みＫ７１ａの一方の端部から他方の端部までの途中位置に接し、折れ線Ｃ４１−２は、切込みＫ７１ｅの一方の端部から他方の端部までの途中位置に接している。切込みＫ７１は、切込みＫ７１ｃと直角方向をなす中心線（切込みＫ７１ｃの方向における中心線）を介して線対称（略線対称としてもよい）に形成されている。切込みＫ７１は、切込みＫ７１ａの一部（折れ線Ｃ４１−１よりも外側片部７４側の部分）及び切込みＫ７１ｅの一部（折れ線Ｃ４１−２よりも外側片部７４側の部分）を除き、折れ線Ｃ４１の延長線（例えば、折れ線Ｃ４１−２の折れ線Ｃ４１−１側への延長線）よりも左側面部４０側に形成されている。これにより、外側片部７４は、折れ線Ｃ４１の延長線から突出した突状部７４−１を有している。つまり、包装箱本体５の展開状態において、外側片部７４と左側面部４０の境界位置に切込みＫ７１を形成し、切込みＫ７１の両側の端部分（つまり、切込みＫ７１ａと切込みＫ７１ｅ）が折れ線Ｃ４１に接し、外側片部７４が、折れ線Ｃ４１から突出した突状部７４−１（切込みＫ７１に対応した辺部（切込みＫ７１に沿った辺部としてもよい）を有する突状部（第２突状部）７４−１）を有している。このように、切込みＫ７１により、包装箱１の組立て状態では、外側片部７４が左側面部４０に対して折曲されているので、左側面部４０の外側片部７４側の端部領域に開口部Ｋ７０（突状部７４−１に対応した開口部で、切込みＫ７１に対応した辺部（切込みＫ７１に沿った辺部としてもよい）を有する開口部）が形成され（図１９参照）、包装箱１を閉状態でロックした際には、係止部１１６と開口部Ｋ７０が係合する。なお、図１７に示す構成の場合でも、包装箱１の組立て状態では、開口部Ｋ７０自体は、折れ線Ｃ４１の方向に長穴状を呈するといえる。
【０１２９】
なお、折れ線Ｃ４１−１は、切込みＫ７１ａの一方の端部から他方の端部までの途中位置に接しているとしたが、切込みＫ７１ａの端部（切込みＫ７１ｂとは反対側の端部）が折れ線Ｃ４１−１に接するようにしてもよく、また、折れ線Ｃ４１−２は、切込みＫ７１ｅの一方の端部から他方の端部までの途中位置に接しているとしたが、切込みＫ７１ｅの端部（切込みＫ７１ｄとは反対側の端部）が折れ線Ｃ４１−２に接するようにしてもよい。
【０１３０】
また、蓋部１００と差込み片部１１０には、折れ線Ｃ１０２、Ｃ１０４、Ｃ１１２、Ｃ１１３、Ｃ１１４、Ｃ１１５が設けられているとしたが、これらの折れ線が設けられていなくても、中央領域１１２−１に対応した領域を正面上側に回動させることにより、中間領域１１２−２に対応する領域が外側片部６４の辺部６４ｃに接することにより、中央領域１１２−１に対応した領域に対して背面側に湾曲し、すると、中間領域１１２−２に対応した領域が回動することにより、蓋部１００の正面右側面側の角部の領域（つまり、角部領域１０４に対応した領域）が下方に湾曲して、差込み片部１１０の右側面側の端部（つまり、端部領域１１２−４に対応する領域）が、その右側面側が下方となるように回転し、折れ線Ｃ１１２、Ｃ１１３、Ｃ１０２が形成されている場合と似たように、差込み片部１１０及び蓋部１００が曲り変形して、係止部１１４が開口部Ｋ６０から抜けて係止部１１４と開口部Ｋ６０の係合が解除され、また、中央領域１１２−１に対応した領域を正面上側に回動させることにより、中間領域１１２−３に対応する領域が外側片部７４の辺部７４ｃに接することにより、中央領域１１２−１に対応した領域に対して背面側に湾曲し、すると、中間領域１１２−３に対応した領域が回動することにより、蓋部１００の正面左側面側の角部の領域（つまり、角部領域１０６に対応した領域）が下方に湾曲して、差込み片部１１０の左側面側の端部（つまり、端部領域１１２−５に対応する領域）が、その左側面側が下方となるように回転し、折れ線Ｃ１１４、Ｃ１１５、Ｃ１０４が形成されている場合と似たように、差込み片部１１０及び蓋部１００が曲り変形して、係止部１１６が開口部Ｋ７０から抜けて係止部１１６と開口部Ｋ７０の係合が解除される。
【０１３１】
なお、折れ線Ｃ１０２を形成する罫線は、接点Ｗ３から接点Ｗ１まで形成されているとしたが、接点Ｗ３と接点Ｗ１の間に接点Ｗ３と接点Ｗ１を結ぶ方向に直線状に形成されていればよく（つまり、接点Ｗ３や接点Ｗ１まで形成されていなくてもよい）、同様に、折れ線Ｃ１０４を形成する罫線は、接点Ｗ４から接点Ｗ２まで形成されているとしたが、接点Ｗ４と接点Ｗ２の間に接点Ｗ４と接点Ｗ２を結ぶ方向に直線状に形成されていればよく（つまり、接点Ｗ４や接点Ｗ２まで形成されていなくてもよい）、同様に、折れ線Ｃ１１２を形成する罫線は、接点Ｗ１から接点Ｖ１まで形成されているとしたが、接点Ｗ１と接点Ｖ１の間に接点Ｗ１と接点Ｖ１を結ぶ方向に直線状に形成されていればよく（つまり、接点Ｗ１や接点Ｖ１まで形成されていなくてもよい）、同様に、折れ線Ｃ１１３を形成する罫線は、接点Ｗ１から接点Ｖ３まで形成されているとしたが、接点Ｗ１と接点Ｖ３の間に接点Ｗ１と接点Ｖ３を結ぶ方向に直線状に形成されていればよく（つまり、接点Ｗ１や接点Ｖ３まで形成されていなくてもよい）、同様に、折れ線Ｃ１１４を形成する罫線は、接点Ｗ２から接点Ｖ２まで形成されているとしたが、接点Ｗ２と接点Ｖ２の間に接点Ｗ２と接点Ｖ２を結ぶ方向に直線状に形成されていればよく（つまり、接点Ｗ２や接点Ｖ２まで形成されていなくてもよい）、同様に、折れ線Ｃ１１５を形成する罫線は、接点Ｗ２から接点Ｖ４まで形成されているとしたが、接点Ｗ２と接点Ｖ４の間に接点Ｗ２と接点Ｖ４を結ぶ方向に直線状に形成されていればよい（つまり、接点Ｗ２や接点Ｖ４まで形成されていなくてもよい）。
【０１３２】
また、折れ線Ｃ１４、Ｃ１５は、辺部１０ａから辺部１０ｄまで形成されているとしたが、折れ線Ｃ１４は、接点Ｕ１と接点Ｕ２の間に接点Ｕ１と接点Ｕ２を結ぶ方向に直線状に形成されていればよく、折れ線Ｃ１５は、接点Ｕ３と接点Ｕ４の間に接点Ｕ３と接点Ｕ４を結ぶ方向に直線状に形成されていればよい。
【０１３３】
また、折れ線Ｃ１６は、辺部１０ａと辺部１０ｂ間の角部から接点Ｕ１まで形成されているとしたが、該角部と接点Ｕ１の間に該角部と接点Ｕ１を結ぶ方向に形成されていればよく（つまり、該角部や接点Ｕ１まで形成されていなくてもよく、折れ線Ｃ１６の延長線が該角部や接点Ｕ１と接する）、折れ線Ｃ１７は、辺部１０ｄと辺部１０ｂ間の角部から接点Ｕ２まで形成されているとしたが、該角部と接点Ｕ２の間に該角部と接点Ｕ２を結ぶ方向に形成されていればよく（つまり、該角部や接点Ｕ２まで形成されていなくてもよく、折れ線Ｃ１６の延長線が該角部や接点Ｕ２と接する）、折れ線Ｃ１８は、辺部１０ａと辺部１０ｃ間の角部から接点Ｕ３まで形成されているとしたが、該角部と接点Ｕ３の間に該角部と接点Ｕ３を結ぶ方向に形成されていればよく（つまり、該角部や接点Ｕ３まで形成されていなくてもよく、折れ線Ｃ１８の延長線が該角部や接点Ｕ３と接する）、折れ線Ｃ１９は、辺部１０ｄと辺部１０ｃ間の角部から接点Ｕ４まで形成されているとしたが、該角部と接点Ｕ４の間に該角部と接点Ｕ４を結ぶ方向に形成されていればよい（つまり、該角部や接点Ｕ４まで形成されていなくてもよく、折れ線Ｃ１８の延長線が該角部や接点Ｕ４と接する）。
【０１３４】
また、接点Ｕ１、Ｕ２は、折れ線Ｃ１４上にあるが、折れ線Ｃ１４が接点Ｕ１と接点Ｕ２間の長さよりも短く形成され（つまり、折れ線Ｃ１４の正面側の端部が接点Ｕ１の位置よりも背面側にあり、折れ線Ｃ１４の背面側の端部が接点Ｕ２の位置よりも正面側にある）、接点Ｕ１と接点Ｕ２が、折れ線Ｃ１４の延長線上に形成されるものとしてもよく、また、接点Ｕ３、Ｕ４は、折れ線Ｃ１５上にあるが、折れ線Ｃ１５が接点Ｕ３と接点Ｕ４間の長さよりも短く形成され（つまり、折れ線Ｃ１５の正面側の端部が接点Ｕ３の位置よりも背面側にあり、折れ線Ｃ１５の背面側の端部が接点Ｕ４の位置よりも正面側にある）、接点Ｕ３と接点Ｕ４が、折れ線Ｃ１５の延長線上に形成されるものとしてもよい。
【０１３５】
つまり、接点Ｕ１は、折れ線Ｃ１６又はその延長線と折れ線Ｃ１４またはそ延長線が接する点であればよく、接点Ｕ２は、折れ線Ｃ１７又はその延長線と折れ線Ｃ１４又はその延長線が接する点であればよく、接点Ｕ３は、折れ線Ｃ１８又はその延長線と折れ線Ｃ１５又はその延長線が接する点であればよく、接点Ｕ４は、折れ線Ｃ１９又はその延長線と折れ線Ｃ１５又はその延長線が接する点であればよい。
【０１３６】
また、折れ線Ｃ１４、Ｃ１５は、辺部１０ｂ、１０ｃと平行に形成され、辺部１０ａと辺部１０ｄの間に形成されているとしたが、折れ線Ｃ１４、Ｃ１５を辺部１０ａ、１０ｄと平行に形成し、辺部１０ｂと辺部１０ｃの間に形成してもよい。つまり、その場合には、折れ線Ｃ１４、Ｃ１５の一方は、接点Ｕ１と接点Ｕ３を結ぶ方向に形成され、他方は、接点Ｕ２と接点Ｕ４を結ぶ方向に形成されることになり、図１３のように、両手で包装箱１を持つ場合には、包装箱１の右側面側又は左側面側を手前側として持つことになる。
【０１３７】
なお、上記の説明における各展開状態は、包装箱１の組立て状態からすると、仮想展開状態といえ、例えば、図５、図６に示す折込み片部６０、７０の展開状態や図５に示す包装箱本体５の展開状態や図５に示す包装箱１の展開状態は、包装箱１を組み立てた状態からすると仮想展開状態（つまり、包装箱１の組立て状態から展開したとするならば得られる状態）であるといえる。
【符号の説明】
【０１３８】
１  包装箱
５  包装箱本体
１０  底面部
１０ａ、１０ｂ、１０ｃ、１０ｄ  辺部
２０  正面部
２２、３２、４２  フラップ部
３０  右側面部
４０  左側面部
５０  背面部
６０、７０、８０、９０  折込み片部
６２、７２、８２、９２  内側片部
６４、７４、８４、９４  外側片部
１００  蓋部
１０２  蓋部本体
１０４、１０６  角部領域
１１０  差込み片部
１１２  差込み片部本体
１１２−１  中央領域
１１２−２、１１２−３  中間領域
１１２−４、１１２−５  端部領域
１１４、１１６  係止部
Ｃ１０、Ｃ１１、Ｃ１２、Ｃ１３、Ｃ１４、Ｃ１４−１、Ｃ１５、Ｃ１５−１、Ｃ１６、Ｃ１７、Ｃ１８、Ｃ１９、Ｃ２０、Ｃ２１、Ｃ２２、Ｃ３０、Ｃ３１、Ｃ３２、Ｃ４０、Ｃ４１、Ｃ４２、Ｃ５０、Ｃ５１、Ｃ５２、Ｃ６２、Ｃ６４、Ｃ７２、Ｃ７４、Ｃ８２、Ｃ９２、Ｃ１００、Ｃ１０２、Ｃ１０４、Ｃ１１２、Ｃ１１３、Ｃ１１４、Ｃ１１５  折れ線
Ｃ６２−１、Ｃ７２−１、Ｃ６４−１、Ｃ７４−１  端部
Ｋ６０、Ｋ７０  開口部
Ｋ６２、Ｋ７２  切欠き
Ｌ６２ａ、Ｌ７２ａ  直線
Ｐ１、Ｑ１、Ｒ１、Ｓ１、Ｔ１、Ｔ２、Ｔ３、Ｔ４、Ｕ１、Ｕ２、Ｕ３、Ｕ４、Ｗ１、Ｗ２、Ｗ３、Ｗ４、Ｖ１、Ｖ２、Ｖ３、Ｖ４  接点
【図１】
2018144865.tif 000003
【図２】
2018144865.tif 000004
【図３】
2018144865.tif 000005
【図４】
2018144865.tif 000006
【図５】
2018144865.tif 000007
【図６】
2018144865.tif 000008
【図７】
2018144865.tif 000009
【図８】
2018144865.tif 000010
【図９】
2018144865.tif 000011
【図１０】
2018144865.tif 000012
【図１１】
2018144865.tif 000013
【図１２】
2018144865.tif 000014
【図１３】
2018144865.tif 000015
【図１４】
2018144865.tif 000016
【図１５】
2018144865.tif 000017
【図１６】
2018144865.tif 000018
【図１７】
2018144865.tif 000019
【図１８】
2018144865.tif 000020
【図１９】
2018144865.tif 000021
【図２０】
2018144865.tif 000022
【図２１】
2018144865.tif 000023